(57)【要約】【課題】クラッチ装置と電動モータを制御装置により制御することによりオルゴールの巻上げと演奏が連続して自動で行えるようにし、しかも置き時計や目覚まし時計、更には正確な特定時刻をオルゴールの生の美しい音色で知らせることができる時刻告知用のチャイムとしても使用できるオルゴールの自動巻上げ演奏装置を提供する。【解決手段】オルゴールの自動巻上げ演奏装置１であって、オルゴール３の巻上げ軸３ａとオルゴール３を巻き上げる電動モータ２の回転軸２ａとの間にクラッチ装置４を設け、このクラッチ装置４により回転軸２ａと巻上げ軸３との間を断接して、電動モータ２によるオルゴール３の巻上げと、オルゴール３の演奏中にはその巻上げ軸３ａの巻戻し回転を許容するようにして、オルゴール３の自動巻上げと自動演奏を可能とし、またオルゴール３のプログラムされた自動演奏と手動による演奏も可能にした。【選択図】図１
2019012248.tif 000002
【特許請求の範囲】
【請求項１】
電動モータと、手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータ、前記クラッチ装置及び前記オルゴールの演奏を制御する中央情報処理装置を含む制御装置とを備え、前記オルゴールの自動巻上げ及び自動演奏を可能としたことを特徴とするオルゴールの自動巻上げ演奏装置。
【請求項２】
電動モータと、手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記電動モータ、前記クラッチ装置及び前記オルゴールの演奏を制御する中央情報処理装置を含む制御装置と、これらの各部品を収容し前記オルゴールの音を拡大させると共に外部に発散させる共鳴箱とを備え、前記電動モータの回転数検出センサによる検出結果に基づいて前記オルゴールの巻上げ軸の正しい巻上げ回転数と、正しい巻戻し回転数となるように電動モータの回転軸の回転方向と回転数を前記制御装置により制御すると共に、前記電動モータによる前記オルゴールの巻上げが不十分と判断された際には演奏に先立って前記電動モータにより前記オルゴールの巻増しを可能としたことを特徴とするオルゴールの自動巻上げ演奏装置。
【請求項３】
電動モータと、手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記電動モータ、前記クラッチ装置、前記オルゴールの演奏停止用電動モータ及び前記オルゴールの演奏を制御する中央情報処理装置を含む制御装置と、これらの各部品を収容し前記オルゴールの音を拡大させると共に外部に発散させる共鳴箱とを備え、前記曲先頭検出センサの検出結果に基づいて、オルゴールは常に曲の先頭で演奏を停止させるような制御を可能とし、オルゴールの全部又は一部が停止状態にあるときに、停止中のオルゴールのすべてについて曲の先頭で停止していることが中央情報処理装置により常に把握されているように構成したことを特徴とするオルゴールの自動巻上げ演奏装置。
【請求項４】
電動モータと、複数の手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記複数のオルゴールのうち演奏中のオルゴールのみを照明するために複数の前記オルゴール夫々に設けられた照明装置と、前記電動モータ、前記クラッチ装置、前記オルゴールの演奏停止用電動モータ、前記照明装置及び前記オルゴールの演奏を制御する中央情報処理装置を含む制御装置と、これらの各部品を収容し前記オルゴールの音を拡大させると共に外部に発散させる共鳴箱とを備え、前記オルゴールの演奏を任意の位置で停止させることができるようにすると共に、前記照明装置の点灯により複数の前記オルゴールのうち演奏中のオルゴールが外部から視認できるように構成したことを特徴とするオルゴールの自動巻上げ演奏装置。
【請求項５】
電動モータと、複数の手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記複数のオルゴールのうち演奏中のオルゴールのみを照明するために複数の前記オルゴール夫々に設けられた照明装置と、電波時計装置と、前記電動モータ、前記クラッチ装置、前記オルゴールの演奏停止用電動モータ、前記照明装置及び前記オルゴールの演奏を制御する中央情報処理装置を含む制御装置と、これらの各部品を収容し前記オルゴールの音を拡大させると共に外部に発散させる共鳴箱とを備え、前記照明装置の点灯により複数の前記オルゴールのうち演奏中のオルゴールが外部から視認できるようにすると共に、前記電波時計装置により前記複数のオルゴールの演奏時刻を夫々設定して設定された時刻に各オルゴールが夫々別の曲を自動演奏できるように構成したことを特徴とするオルゴールの自動巻上げ演奏装置。
【請求項６】
電動モータと、複数の手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記複数のオルゴールのうち演奏中のオルゴールのみを照明するために複数の前記オルゴール夫々に設けられた照明装置と、電波時計装置と、前記複数のオルゴールの中央に配置された時計と、前記電動モータ、前記クラッチ装置、前記オルゴールの演奏停止用電動モータ、前記照明装置及び前記オルゴールの演奏を制御する中央情報処理装置を含む制御装置と、これらの各部品を収容し前記オルゴールの音を拡大させると共に外部に発散させる共鳴箱とを備え、前記照明装置の点灯により複数の前記オルゴールのうち演奏中のオルゴールが外部から視認できるようにすると共に、前記電波時計装置により前記複数のオルゴールの演奏時刻を夫々設定して設定された時刻に各オルゴールが夫々別の曲を自動演奏できるように構成し、更に前記時計により時刻が分かる置時計としての作用も兼ね備えたことを特徴とするオルゴールの自動巻上げ演奏装置。
【請求項７】
電動モータと、手動巻上げ式のオルゴールと、前記電動モータの回転軸に固定され左ねじが形成されると共により大径となる突起部が形成されたねじ軸と該ねじ軸に螺合するナットと該ナットに固定され該ナットと共に回転すると共に前記ねじ軸と前記ナットとの相対回転に相当する該ナットの移動距離と同等以上の距離だけ軸方向に移動可能とする空間が内部に形成され前記オルゴールの前記巻上げ軸の腕部に係合する前記移動距離以上の長さを持つ係合部材が取り付けられた回転スライドクラッチ部材とを有し前記電動モータによる前記オルゴールの巻上げ時には、該電動モータの巻上げ方向の回転により前記ナットが前記オルゴール方向に移動することで前記ねじ軸の突起部に接触することによって該ナット及び前記回転スライドクラッチ部材が一体となる結果前記電動モータの回転軸と前記オルゴールの巻上げ軸を接続して前記オルゴールの巻上げ軸を巻上げ方向に回転させて該オルゴールの巻き上げを可能とすると共に前記オルゴールの演奏時には、前記電動モータを前記巻上げ時の巻上げ方向の回転数と同数だけ巻戻し方向に回転させることで前記ナットを前記電動モータ方向に移動させて前記ねじ軸の突起部と前記ナットとの接触を解除すると共に該ナット及び前記回転スライドクラッチ部材を前記電動モータ方向に移動させることによって前記電動モータの回転軸と前記オルゴールの巻上げ軸との接続を遮断して前記電動モータを停止させた状態で前記巻上げ軸の巻戻し方向の回転を許容して前記オルゴールの演奏を可能とする機械式クラッチ装置と、前記電動モータ、前記クラッチ装置及び前記オルゴールの演奏を制御する中央情報処理装置を含む制御装置と、これらの各部品を収容し前記オルゴールの音を拡大させると共に外部に発散させる共鳴箱とを備え、前記オルゴールの自動巻上げ及び自動演奏を可能としたことを特徴とするオルゴールの自動巻上げ演奏装置。
【請求項８】
電動モータと、手動巻上げ式のオルゴールと、前記電動モータと共に電源に並列に接続されて該電動モータへの通電と同時に通電されて電磁力を生じさせる回転可能な電磁石と前記電動モータの回転時には該電磁石に吸着されることで該電磁石と一体化されて回転可能な磁性部材とを有し前記電磁石と前記磁性部材のいずれか一方を前記電動モータの回転軸及び前記オルゴールの巻上げ軸のいずれかに夫々取り付けるように構成され、前記電動モータによる前記オルゴールの巻上げ時には、前記電磁石に通電して前記電磁石と前記磁性部材とを吸着させて一体化することで前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には、前記電動モータを停止させると同時に前記電磁石への通電を停止させることで前記電磁石と前記磁性部材との吸着を解除することによって前記電動モータの回転軸と前記オルゴールの巻上げ軸との接続を遮断して前記電動モータを停止させた状態で前記巻上げ軸の巻戻し方向の回転を許容して前記オルゴールの演奏を可能とする電磁クラッチからなるクラッチ装置と、前記電動モータ、前記電磁クラッチ及び前記オルゴールの演奏を制御する中央情報処理装置を含む制御装置と、これらの各部品を収容し前記オルゴールの音を拡大させると共に外部に発散させる共鳴箱とを備え、前記オルゴールの自動巻上げ及び自動演奏を可能としたことを特徴とするオルゴールの自動巻上げ演奏装置。
【請求項９】
少なくとも２つの電動モータと、少なくとも２つの手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、電波時計装置と、就寝時用照明と起床時用照明とで照度が変化するようにした照明装置と、前記電動モータ、前記照明装置、前記クラッチ装置及び前記オルゴールの演奏を制御する中央情報処理装置を含む制御装置と、外部から視認できる前面位置に配置された時計と、これらの各部品を収容し前記オルゴールの音を拡大させると共に外部に発散させる共鳴箱とを備え、前記オルゴールの自動巻上げ及び自動演奏を可能とし、就寝時には前記オルゴールのうちの就寝に適した曲のオルゴールを演奏させると共に前記照明装置の照度を暫時低下させ、起床時には前記オルゴールのうちの起床に適した曲のオルゴールを演奏させると共に前記照明装置の照度を暫時増大させるように構成したことを特徴とするオルゴールの自動巻上げ演奏装置。
【請求項１０】
前記電動モータは、その最終出力回転軸の回転数が６０ｒｐｍとなる減速機を内蔵したギヤドモータであることを特徴とする請求項１から請求項９に記載のオルゴールの自動巻上げ演奏装置。
【請求項１１】
前記オルゴールの演奏停止用電動モータは、その最終出力回転軸の回転数が６０ｒｐｍとなる減速機を内蔵したギヤドモータであることを特徴とする請求項４から請求項６に記載のオルゴールの自動巻上げ演奏装置。
【発明の詳細な説明】
【発明の詳細な説明】
【技術分野】
【０００１】本発明は、オルゴールの自動巻上げ演奏装置に係り、特にオルゴールの演奏自体には電動モータを使用せず、手動巻上げ式のオルゴールに内蔵されたぜんまい駆動によりオルゴールを演奏させることでオルゴール演奏中に電動モータ音が出ないようにし、オルゴールの停止中に電動モータ（減速機内蔵のギヤードモータで手動で巻き上げる位の低速回転する電動モータ）でオルゴールを巻き上げることで、オルゴールの演奏中はオルゴールの澄んだ音のみが美しく響くようにすると共に、電動モータの回転軸とオルゴールの巻上げ軸との間にクラッチ装置を設け、オルゴールの巻上げ時には電動モータの回転軸とオルゴールの巻上げ軸とを接続して電動モータの回転力をオルゴールの巻上げ軸に伝えて巻上げを可能とし、オルゴールの演奏中には電動モータの回転軸とオルゴールの巻上げ軸との接続を遮断することでオルゴールの巻上げ軸の巻戻し回転を許容してオルゴールの演奏を可能とするように、クラッチ装置と電動モータを制御装置により制御することによりオルゴールの巻上げと演奏が連続して自動で行えるようにし、しかも置き時計や目覚まし時計、更には正確な特定時刻をオルゴールの生の美しい音色で知らせることができる時刻告知用のチャイムとしても使用できる画期的なオルゴールの自動巻上げ演奏装置に関する。
【背景技術】
【０００２】従来、手動巻き上げ式のオルゴールは、数多くの形式のものが実用に供されており、その音質から分類すると、曲の音階を決定する弁の数により、一例として、低音質のものから順に、１８弁、２３弁、３０弁、５０弁及び７２弁等があり、低価格品としては、１８弁と２３弁のものが、中・高価格品としては、３０弁、５０弁、７２弁のものがあげられる。【０００３】そしていずれの品質・価格帯のオルゴールであっても、手動巻き上げ式のオルゴールでは、例外なくその動力源は、ぜんまいであり、その原理は、焼入れした鋼鉄製のばね板を渦巻き状に巻いたもので、このばね板を曲げることにより弾性変形させ、この弾性変形に伴うばね板のひずみエネルギを蓄え、このひずみエネルギを放出するときに機械的出力をぜんまいの回転軸から回転力として取り出すものである。
オルゴールの回転軸には多数のピンが植えられたドラムが固定され、このドラムが回転することによって曲によって決められた位置及び順序により順次定められた音階の弁にピンが当たってこれをはじくことにより同一又は異なる音階の音の連続により曲を演奏するようになっている。【０００４】この場合、曲の演奏速度を通常の楽器や歌唱の速度と同程度にするため、ドラムを極く低速で回転させる必要があること、ドラムの回転速度にむらが生ずると、曲の進行にむらが生ずるためドラムの回転速度にむらが出ないようにする必要があること、ぜんまいのエネルギを長い時間かけて消費してゆっくりと、しかも数回にわたって曲の演奏ができるようにする必要があること等の諸条件を満たすため、回転軸に連結された平歯車列とウォームギヤを併用した非常に大きな増速比の増速機を介して、羽車を極く高速で回転させるようになっており、この高速回転する羽車の空気抵抗を利用してブレーキをかけ、ドラムの回転速度をを極く低速にすると共に、その回転速度を安定させることにより曲をむらなく美しい音色で演奏できるようになっている。【０００５】そしてオルゴールの本体は、その音を共鳴、増幅させて聞き易くするための共鳴箱に収容され、この共鳴箱からオルゴールの巻上げ軸とこれと一体のＴ字形の巻上げ用の腕を外部に突出させて共鳴箱の外から手動でオルゴールの巻上げができるようになっており、また共鳴箱の蓋が開閉式になっていて、オルゴールの演奏中にこの蓋を閉めると蓋の一部が高速回転する羽車の羽に干渉して羽車の回転を停止させることでドラムの回転を止めて演奏を停止させ、蓋を開けたときには羽車の回転を許容してドラムを回転させ、オルゴールが曲を演奏するように構成されている。
なお、オルゴールの巻上げ軸を回転させて巻上げをするに要する力は、通常の人の親指と人指し指の力で出せる位の力であるから相当大きな抵抗力を感じる程度であり、かなり大きなトルクが必要である。巻上げの速度は毎秒１回転位、即ち６０ｒｐｍ位で、必要巻上げ回数は４回位に設定されている。【０００６】このように、手動巻き上げ式のオルゴールは、その巻上げ軸を回転させるトルクがかなり大きいものであり、しかも毎秒１回転位の低速で巻き上げる必要があるため、これを自動的に巻き上げるという技術は提供されておらず、従って手動巻き上げ式のオルゴールを自動演奏できる技術はなく、オルゴールと言えば手動で巻き上げるものが主流であるというのが従来の技術であった。
このため、従来技術では、生の美しい音色のオルゴールの音自体を奏でるもので、所定の複数の時刻ごとに異なる曲を順次演奏して時を知らせるオルゴールを用いたチャイム等は到底提供できるものではなく、また就寝時にはそれに適した曲を演奏して優しい音色を出し、起床時にはそれに適した元気のよい曲を演奏して明るい調子の音色を出すというようなオルゴール式の目覚まし時計等は到底実現することはできないという欠点があった。【０００７】即ち、この手動巻き上げ式のオルゴールの巻上げを、例えば電動モータで行うとした場合、電動モータが減速機内蔵のギヤードモータであれば、簡単に必要なトルクは得られて巻き上げること自体は可能であるが、もし電動モータの回転軸とオルゴールの巻上げ軸とが固定されていると、巻上げが完了して、オルゴールが演奏を開始しようとすると、巻上げ軸は巻上げ時とは逆方向の巻戻し回転をしながらぜんまいのエネルギを放出することになるが、この際電動モータには非常に大きな減速比（１／２５０位）の減速機が内蔵されているため、巻上げ軸の巻戻し回転により電動モータを１３，４００ｒｐｍ位の高速で回転させる必要があるために非常に大きなトルクが必要であるほかに、電動モータ自体が発電機の作用をして抵抗するため、非常に大きな抵抗力としての巻戻し用のトルクが必要となる結果、事実上電動モータの回転軸は固定状態となって、オルゴールの巻上げ軸が巻き戻し回転することができず、結果として曲の演奏は全く不可能というのが実情であった。【０００８】また従来、手動巻き上げ式によらず、即ちぜんまいを用いず最初から電動モータでオルゴールを演奏させるものは実用化されているが、この形式の電動式オルゴールによると、オルゴールの演奏中は常に電動モータが回転していることになるため、この電動モータの音が共鳴箱で増幅されてオルゴール本来の美しい音色に混じることになり、視聴者の耳には、わずかではあるが電動モータの回転音が雑音として聞こえ、オルゴールの美しい音色が損なわれるという欠点があった。
【先行技術文献】
【特許文献】
【０００９】本願出願人及び発明者は、先願調査の結果以下の特許文献を抽出した。
特開２０００−４７６６０、特開２００３−２４１７４６、特開２００５−２５０１９８、実登第２５０００１３号、実開平６−２５８８９
【非特許文献】
【００１０】本願出願人及び発明者は、非特許文献を知らないので、その記載を省略する。
【発明が解決しようとする課題】
【００１１】本発明は、上記した従来技術の欠点を除くためになされたものであって、その目的とするところは、電動モータと、手動巻上げ式のオルゴールと、電動モータによるオルゴールの巻上げ時には電動モータの回転軸と該オルゴールの巻上げ軸を接続してオルゴールの巻上げ軸を巻上げ方向に回転させて該オルゴールの巻き上げを可能とすると共にオルゴールの演奏時には電動モータの回転軸とオルゴールの巻上げ軸との接続を遮断して電動モータを停止させた状態で巻上げ軸の巻戻し方向の回転を許容してオルゴールの演奏を可能とするクラッチ装置と、電動モータ、クラッチ装置及びオルゴールの演奏を制御する中央情報処理装置を含む制御装置とを備え、オルゴールの自動巻上げ及び自動演奏を可能とすることによって、使用者は単に本発明オルゴールの自動巻上げ演奏装置を電源に接続して所定のスイッチを操作するだけで、オルゴールが繰り返し自動巻上げと演奏を続けることができるようにすることであり、またオルゴールの演奏自体には電動モータを使用せず、内蔵のぜんまいによってオルゴールを演奏させることでオルゴールの演奏中に電動モータの音が雑音としてオルゴールの音に混じらないようにすることであり、またこれによってオルゴールの音色を常にきれいな澄んだ美しいものとして、オルゴールの自動巻上げ演奏装置の商品価値を非常に高いものとすることにある。
【００１２】また他の目的は、上記構成に加えて、各部品を収容しオルゴールの音を拡大させると共に外部に発散させる共鳴箱と、電動モータの右・左回転方向夫々の回転数を検出する電動モータの回転数検出センサと、前記各部品を収容し前記オルゴールの音を拡大させると共に外部に発散させる共鳴箱を備えることによって、該電動モータの回転数検出センサによる検出結果に基づいて、オルゴールの巻上げ軸の正しい巻上げ回転数（通常右に４回）と、正しい巻戻し回転数（通常左に４回）となるように電動モータの回転軸の回転方向と回転数を制御装置により制御すると共に、電動モータによるオルゴールの巻上げが不十分と判断された際には演奏に先立って電動モータによりオルゴールの巻増しを可能とすることによって、通常は常に限度一杯までの巻上げを可能としながら、過剰の巻上げ及び過剰の巻戻しをさせないことによりクラッチ装置の破損を防止すると共に、オルゴールの正常な演奏時間を常に保つことができるようにすることであり、また巻上げが不十分の場合にそのままオルゴールが演奏されて予想より短い時間で演奏が停止することがないようにすることである。また他の目的は、共鳴箱によってオルゴール自体の小さな音が適度に大きな音に拡大されるようにすることで人が大勢集まる場所や広い場所でも遠くまでオルゴールの音が聞こえるようにして、特にチャイム等で使用した場合にその機能が十分に発揮できるようにすることである。
【００１３】更に他の目的は、上記構成に加えてオルゴールの演奏曲の先頭を検出する曲先頭検出センサを備え、該曲先頭検出センサの検出結果に基づいて、オルゴールは常に曲の先頭で演奏を停止させるような制御を可能とし、オルゴールの全部又は一部が停止状態にあるときに、停止中のオルゴールのすべてについて曲の先頭で停止していることが中央情報処理装置により常に把握されているように構成することによって、各オルゴールの演奏を開始させるときには、常に曲の先頭から演奏を開始させることができるようにして、オルゴールの自動巻上げ演奏装置の商品価値を一層高めることである。
【００１４】また他の目的は、上記構成に加えて前記オルゴールの演奏を途中で停止させ又は停止を解除するオルゴールの演奏停止用電動モータと、複数のオルゴールのうち演奏中のオルゴールのみを照明するために複数のオルゴール夫々に設けられた照明装置とを備えることで、オルゴールの演奏停止用電動モータによりオルゴールの演奏を任意の位置で停止させることができるようにすると共に、照明装置の点灯により複数のオルゴールのうち演奏中のオルゴールが外部から視認できるように構成することによって、オルゴールの演奏を手動又は自動で任意に制御できる便利さを獲得すると共に、演奏中のオルゴールの照明装置の点灯により演奏される曲との関連からその時の時刻が認識され易いようにすることであり、またこれによってオルゴールの自動巻上げ演奏装置の実用的な機能性、インテリアとしての美しさ及び楽しさを演出できるようにすることである。
【００１５】また他の目的は、上記構成に加えて電波時計装置を備えることで照明装置の点灯により複数のオルゴールのうち演奏中のオルゴールが外部から視認できるようにすると共に、電波時計装置により複数のオルゴールの演奏時刻を夫々設定して設定された時刻に各オルゴールが夫々別の曲を自動演奏できるように構成することで、一般家庭はもとより、保育園、小学校、中学校、高等学校、大学、専門学校、会社、公共団体、官庁、老人ホーム等各種の人が集まる場所に設置することにより、例えば４個のオルゴールを用いた場合には、これらの場所において、１回目は朝の始業・授業の開始時刻、２回目は正午の時刻、３回目は３時の休憩時刻、４回目は終業・帰宅時刻の４回に、毎日規則正しく夫々異なる曲のオルゴールの自動演奏を可能とすることであり、またこれによって従来のチャイムでは得られなかった美しいオルゴールの生の音色でこれらの時刻を人々に知らせることができるようにすることであり、またこれによって色々な場所における雰囲気をより良くして、教育現場や職場の環境の改善を図ることができるようにすることである。
【００１６】また他の目的は、上記構成に加えて時計装置（アナログやデジタルの普通の時計）を備えることによって、オルゴールの自動巻上げ演奏装置が置き時計としても使用できるようにし、また複数のオルゴールを周囲に配置し、その中央に時計装置を配置することで、従来にないオルゴールと時計が組み合わされた斬新なデザインのインテリア性が極めて高く商品価値も非常に高い新規な置き時計とチャイムを兼ね備えたオルゴールの自動巻上げ演奏装置を提供することである。
【００１７】更に他の目的は、電動モータと、手動巻上げ式のオルゴールと、電動モータの回転軸に固定され左ねじが形成されると共に該ねじ軸よりも大径となる突起部が形成されたねじ軸と該ねじ軸に螺合するナットと該ナットに固定され該ナットと共に回転すると共にねじ軸とナットとの相対回転に相当する該ナットの移動距離と同等以上の距離だけ軸方向に移動可能とする空間が内部に形成されオルゴールの巻上げ軸の腕部に係合する移動距離以上の長さを持つ係合部材が取り付けられた回転スライドクラッチ部材とを有し電動モータによるオルゴールの巻上げ時には、該電動モータの巻上げ方向の回転によりナットがオルゴール方向に移動することでねじ軸の突起部に接触することによって該ナット及び回転スライドクラッチ部材が一体となる結果電動モータの回転軸とオルゴールの巻上げ軸を接続してオルゴールの巻上げ軸を巻上げ方向に回転させて該オルゴールの巻き上げを可能とすると共にオルゴールの演奏時には、電動モータを巻上げ時の巻上げ方向の回転数と同数だけ巻戻し方向に回転させることでナットを電動モータ方向に移動させてねじ軸の突起部とナットとの接触を解除する共に該ナット及び回転スライドクラッチ部材を電動モータ方向に移動させることによって電動モータの回転軸とオルゴールの巻上げ軸との接続を遮断して電動モータを停止させた状態で巻上げ軸の巻戻し方向の回転を許容してオルゴールの演奏を可能とする機械式のクラッチ装置と、電動モータ、クラッチ装置及びオルゴールの演奏を制御する中央情報処理装置を含む制御装置と、これらの各部品を収容し前記オルゴールの音を拡大させると共に外部に発散させる共鳴箱とを備えることでオルゴールの自動巻上げ及び自動演奏を可能とすることによって、非常に簡単な構造、かつ安価な機構によってクラッチ装置を実現可能とすることであり、またこれによって例えば１台のオルゴールの自動巻上げ演奏装置に４個のオルゴールとこれらに専用の電動モータとクラッチ装置を設けても装置全体を比較的安価に提供できるようにすることである。
また他の目的は、電動モータの回転軸に固定された左ねじが切られたねじ軸と、これに螺合するひだりねじのナットと、該ナットに固定された回転スライドクラッチ部材の組合せという簡単な機構を採用することで、非常に耐久性が大きく、極めて多い反復継続使用が予想されるオルゴールの自動巻上げ演奏装置であっても、その長年の使用に耐え得る耐久性の大きいクラッチ装置を提供し、安価でありながら信頼度の極めて高いオルゴールの自動巻上げ演奏装置を提供することである。
【００１８】更に他の目的は、電動モータと、手動巻上げ式のオルゴールと、電動モータと共に電源に並列に接続されて該電動モータへの通電と同時に通電されて電磁力を生じさせる回転可能な電磁石と電動モータの回転時には該電磁石に吸着されることで該電磁石と一体化される回転可能な磁性部材とを有し電磁石と磁性部材のいずれか一方を電動モータの回転軸及びオルゴールの巻上げ軸のいずれかに夫々取り付けるように構成され、電動モータによるオルゴールの巻上げ時には、電磁石に通電して電磁石と磁性部材とを吸着させて一体化することで電動モータの回転軸と該オルゴールの巻上げ軸を接続してオルゴールの巻上げ軸を巻上げ方向に回転させて該オルゴールの巻き上げを可能とすると共にオルゴールの演奏時には、電動モータを停止させると同時に電磁石への通電を停止させることで電磁石と磁性部材との吸着を解除することによって電動モータの回転軸とオルゴールの巻上げ軸との接続を遮断して電動モータを停止させた状態で巻上げ軸の巻戻し方向の回転を許容してオルゴールの演奏を可能とする電磁クラッチからなるクラッチ装置と、電動モータ、電磁クラッチ及びオルゴールの演奏を制御する中央情報処理装置を含む制御装置と、これらの各部品を収容しオルゴールの音を拡大させると共に外部に発散させる共鳴箱とを備え、オルゴールの自動巻上げ及び自動演奏を可能とすることによって、電動モータの回転軸とオルゴールの巻上げ軸との断接を行うクラッチ装置の操作において、機械式のクラッチ装置におけるような電動モータの巻戻し方向の逆回転操作を不要とすることであり、またこれによって制御装置による制御をより簡略化して制御装置のコストの低減と、クラッチ装置の部品数の減少と機構の簡略化を図ることである。
【００１９】また他の目的は、少なくとも２つの電動モータと、少なくとも２つの手動巻上げ式のオルゴールと、電動モータによるオルゴールの巻上げ時には電動モータの回転軸と該オルゴールの巻上げ軸を接続してオルゴールの巻上げ軸を巻上げ方向に回転させて該オルゴールの巻き上げを可能とすると共にオルゴールの演奏時には電動モータの回転軸とオルゴールの巻上げ軸との接続を遮断して電動モータを停止させた状態で巻上げ軸の巻戻し方向の回転を許容してオルゴールの演奏を可能とするクラッチ装置と、電波時計装置と、就寝時用照明と起床時用照明とで照度が変化するようにした照明装置と、電動モータ、照明装置、クラッチ装置及びオルゴールの演奏を制御する中央情報処理装置を含む制御装置と、外部から視認できる前面位置に配置された時計と、これらの各部品を収容しオルゴールの音を拡大させると共に外部に発散させる共鳴箱とを備え、オルゴールの自動巻上げ及び自動演奏を可能とし、就寝時にはオルゴールのうちの就寝に適した曲のオルゴールを演奏させると共に照明装置の照度を暫時低下させ、起床時にはオルゴールのうちの起床に適した曲のオルゴールを演奏させると共に照明装置の照度を暫時増大させるように構成することによって、就寝時及び起床時夫々において無理なく快適に就寝及び起床ができるようにすることであり、またこれによってオルゴールの美しい生演奏の音色によって就寝・起床ができるばかりでなく、照明装置の点滅により聴覚だけでなく視覚によっても就寝・起床が促進されるようにして健康にも良く、インテリアとしての価値も高い目覚まし時計を兼ねたオルゴールの自動巻上げ演奏装置を提供することである。
【００２０】また他の目的は、電動モータには、その最終出力回転軸が６０ｒｐｍとなる減速機を内蔵したギヤドモータを採用することによって、電動モータによるオルゴールの巻上げであるにもかかわらず、手動での巻上げと同程度の巻上げ速度で違和感及び無理なく、かつオルゴールを傷めることなく繰り返し自動でオルゴールの巻上げができるようにすることであり、またオルゴールの演奏開始と同時にクラッチ装置の遮断のために電動モータを巻戻し方向の逆回転をさせる場合でも、その際の巻上げ軸の巻戻し回転よりも相当速い速度（例えば６０ｒｐｍ位）で電動モータを例えば４回転逆転させる際の電動モータから出る音の時間を非常にわずか（例えば４秒位）にし得るようにして、ほとんどこの際の電動モータの回転音が雑音として聞こえないようにすることである。
【００２１】また他の目的は、オルゴールの演奏停止用電動モータは、その最終出力回転軸が６０ｒｐｍとなる減速機を内蔵したギヤドモータを採用することによって、通常共鳴箱の蓋の開閉によりオルゴールの演奏停止・開始を行う場合と同程度の速度で無理なく高速で回転している羽車を強制的に停止させてオルゴールの演奏を停止させることができるようにすることであり、またこれによってオルゴールの演奏を電動モータにより行っても長期にわたりオルゴールを損傷させないようにすることである。
【課題を解決するための手段】
【００２２】要するに本発明（請求項１）は、電動モータと、手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータ、前記クラッチ装置及び前記オルゴールの演奏を制御する中央情報処理装置を含む制御装置とを備え、前記オルゴールの自動巻上げ及び自動演奏を可能としたことを特徴とするものである。
【００２３】また本発明（請求項２）は、電動モータと、手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記電動モータ、前記クラッチ装置及び前記オルゴールの演奏を制御する中央情報処理装置を含む制御装置と、これらの各部品を収容し前記オルゴールの音を拡大させると共に外部に発散させる共鳴箱とを備え、前記電動モータの回転数検出センサによる検出結果に基づいて前記オルゴールの巻上げ軸の正しい巻上げ回転数と、正しい巻戻し回転数となるように電動モータの回転軸の回転方向と回転数を前記制御装置により制御すると共に、前記電動モータによる前記オルゴールの巻上げが不十分と判断された際には演奏に先立って前記電動モータにより前記オルゴールの巻増しを可能としたことを特徴とするものである。
【００２４】また本発明（請求項３）は、電動モータと、手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記電動モータ、前記クラッチ装置、前記オルゴールの演奏停止用電動モータ及び前記オルゴールの演奏を制御する中央情報処理装置を含む制御装置と、これらの各部品を収容し前記オルゴールの音を拡大させると共に外部に発散させる共鳴箱とを備え、前記曲先頭検出センサの検出結果に基づいて、オルゴールは常に曲の先頭で演奏を停止させるような制御を可能とし、オルゴールの全部又は一部が停止状態にあるときに、停止中のオルゴールのすべてについて曲の先頭で停止していることが中央情報処理装置により常に把握されているように構成したことを特徴とするものである。
【００２５】また本発明（請求項４）は、電動モータと、複数の手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記複数のオルゴールのうち演奏中のオルゴールのみを照明するために複数の前記オルゴール夫々に設けられた照明装置と、前記電動モータ、前記クラッチ装置、前記オルゴールの演奏停止用電動モータ、前記照明装置及び前記オルゴールの演奏を制御する中央情報処理装置を含む制御装置と、これらの各部品を収容し前記オルゴールの音を拡大させると共に外部に発散させる共鳴箱とを備え、前記オルゴールの演奏を任意の位置で停止させることができるようにすると共に、前記照明装置の点灯により複数の前記オルゴールのうち演奏中のオルゴールが外部から視認できるように構成したことを特徴とするものである。
【００２６】また本発明（請求項５）は、電動モータと、複数の手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記複数のオルゴールのうち演奏中のオルゴールのみを照明するために複数の前記オルゴール夫々に設けられた照明装置と、電波時計装置と、前記電動モータ、前記クラッチ装置、前記オルゴールの演奏停止用電動モータ、前記照明装置及び前記オルゴールの演奏を制御する中央情報処理装置を含む制御装置と、これらの各部品を収容し前記オルゴールの音を拡大させると共に外部に発散させる共鳴箱とを備え、前記照明装置の点灯により複数の前記オルゴールのうち演奏中のオルゴールが外部から視認できるようにすると共に、前記電波時計装置により前記複数のオルゴールの演奏時刻を夫々設定して設定された時刻に各オルゴールが夫々別の曲を自動演奏できるように構成したことを特徴とするものである。
【００２７】また本発明（請求項６）は、電動モータと、複数の手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、前記電動モータの右・左回転方向夫々の回転数を検出する電動モータの回転数検出センサと、前記オルゴールの演奏曲の先頭を検出する曲先頭検出センサと、前記オルゴールの演奏を停止させ又は停止を解除するオルゴールの演奏停止用電動モータと、前記複数のオルゴールのうち演奏中のオルゴールのみを照明するために複数の前記オルゴール夫々に設けられた照明装置と、電波時計装置と、前記複数のオルゴールの中央に配置された時計と、前記電動モータ、前記クラッチ装置、前記オルゴールの演奏停止用電動モータ、前記照明装置及び前記オルゴールの演奏を制御する中央情報処理装置を含む制御装置と、これらの各部品を収容し前記オルゴールの音を拡大させると共に外部に発散させる共鳴箱とを備え、前記照明装置の点灯により複数の前記オルゴールのうち演奏中のオルゴールが外部から視認できるようにすると共に、前記電波時計装置により前記複数のオルゴールの演奏時刻を夫々設定して設定された時刻に各オルゴールが夫々別の曲を自動演奏できるように構成し、更に前記時計により時刻が分かる置時計としての作用も兼ね備えたことを特徴とするものである。
【００２８】また本発明（請求項７）は、電動モータと、手動巻上げ式のオルゴールと、前記電動モータの回転軸に固定され左ねじが形成されると共に該ねじ軸よりも大径となる突起部が形成されたねじ軸と該ねじ軸に螺合するナットと該ナットに固定され該ナットと共に回転すると共に前記ねじ軸と前記ナットとの相対回転に相当する該ナットの移動距離と同等以上の距離だけ軸方向に移動可能とする空間が内部に形成され前記オルゴールの前記巻上げ軸の腕部に係合する前記移動距離以上の長さを持つ係合部材が取り付けられた回転スライドクラッチ部材とを有し前記電動モータによる前記オルゴールの巻上げ時には、該電動モータの巻上げ方向の回転により前記ナットが前記オルゴール方向に移動することで前記ねじ軸の突起部に接触することによって該ナット及び前記回転スライドクラッチ部材が一体となる結果前記電動モータの回転軸と前記オルゴールの巻上げ軸を接続して前記オルゴールの巻上げ軸を巻上げ方向に回転させて該オルゴールの巻き上げを可能とすると共に前記オルゴールの演奏時には、前記電動モータを前記巻上げ時の巻上げ方向の回転数と同数だけ巻戻し方向に回転させることで前記ナットを前記電動モータ方向に移動させて前記ねじ軸の突起部と前記ナットとの接触を解除する共に該ナット及び前記回転スライドクラッチ部材を前記電動モータ方向に移動させることによって前記電動モータの回転軸と前記オルゴールの巻上げ軸との接続を遮断して前記電動モータを停止させた状態で前記巻上げ軸の巻戻し方向の回転を許容して前記オルゴールの演奏を可能とする機械式クラッチ装置と、前記電動モータ、前記クラッチ装置及び前記オルゴールの演奏を制御する中央情報処理装置を含む制御装置と、これらの各部品を収容し前記オルゴールの音を拡大させると共に外部に発散させる共鳴箱とを備え、前記オルゴールの自動巻上げ及び自動演奏を可能としたことを特徴とするものである。
【００２９】また本発明（請求項８）は、電動モータと、手動巻上げ式のオルゴールと、前記電動モータと共に電源に並列に接続されて該電動モータへの通電と同時に通電されて電磁力を生じさせる回転可能な電磁石と前記電動モータの回転時には該電磁石に吸着されることで該電磁石と一体化される回転可能な磁性部材とを有し前記電磁石と前記磁性部材のいずれか一方を前記電動モータの回転軸及び前記オルゴールの巻上げ軸のいずれかに夫々取り付けるように構成され前記電動モータによる前記オルゴールの巻上げ時には、前記電磁石に通電して前記電磁石と前記磁性部材とを吸着させて一体化することで前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には、前記電動モータを停止させると同時に前記電磁石への通電を停止させることで前記電磁石と前記磁性部材との吸着を解除することによって前記電動モータの回転軸と前記オルゴールの巻上げ軸との接続を遮断して前記電動モータを停止させた状態で前記巻上げ軸の巻戻し方向の回転を許容して前記オルゴールの演奏を可能とする電磁クラッチからなるクラッチ装置と、前記電動モータ、前記電磁クラッチ及び前記オルゴールの演奏を制御する中央情報処理装置を含む制御装置と、これらの各部品を収容し前記オルゴールの音を拡大させると共に外部に発散させる共鳴箱とを備え、前記オルゴールの自動巻上げ及び自動演奏を可能としたことを特徴とするものである。
【００３０】また本発明（請求項９）は、少なくとも２つの電動モータと、少なくとも２つの手動巻上げ式のオルゴールと、前記電動モータによる前記オルゴールの巻上げ時には前記電動モータの回転軸と該オルゴールの巻上げ軸を接続して前記オルゴールの巻上げ軸を巻上げ方向に回転させて該オルゴールの巻き上げを可能とすると共に前記オルゴールの演奏時には前記電動モータの回転軸と前記オルゴールの巻上げ軸との接続を遮断して前記電動モータを停止させた状態で前記巻上げ軸の巻戻し方向の回転を許容して前記オルゴールの演奏を可能とするクラッチ装置と、電波時計装置と、就寝時用照明と起床時用照明とで照度が変化するようにした照明装置と、前記電動モータ、前記照明装置、前記クラッチ装置及び前記オルゴールの演奏を制御する中央情報処理装置を含む制御装置と、外部から視認できる前面位置に配置された時計と、これらの各部品を収容し前記オルゴールの音を拡大させると共に外部に発散させる共鳴箱とを備え、前記オルゴールの自動巻上げ及び自動演奏を可能とし、就寝時には前記オルゴールのうちの就寝に適した曲のオルゴールを演奏させると共に前記照明装置の照度を暫時低下させ、起床時には前記オルゴールのうちの起床に適した曲のオルゴールを演奏させると共に前記照明装置の照度を暫時増大させるように構成したことを特徴とするものである。
【００３１】また本発明（請求項１０）は、前記電動モータは、その最終出力回転軸の回転数が６０ｒｐｍとなる減速機を内蔵したギヤドモータであることを特徴とするものである。
【００３２】また本発明（請求項１１）は、前記オルゴールの演奏停止用電動モータは、その最終出力回転軸の回転数が６０ｒｐｍとなる減速機を内蔵したギヤドモータであることを特徴とするものである。
【発明の効果】
【００３３】本発明は、上記のように、電動モータと、手動巻上げ式のオルゴールと、電動モータによるオルゴールの巻上げ時には電動モータの回転軸と該オルゴールの巻上げ軸を接続してオルゴールの巻上げ軸を巻上げ方向に回転させて該オルゴールの巻き上げを可能とすると共にオルゴールの演奏時には電動モータの回転軸とオルゴールの巻上げ軸との接続を遮断して電動モータを停止させた状態で巻上げ軸の巻戻し方向の回転を許容してオルゴールの演奏を可能とするクラッチ装置と、電動モータ、クラッチ装置及びオルゴールの演奏を制御する中央情報処理装置を含む制御装置とを備え、オルゴールの自動巻上げ及び自動演奏を可能としたので、使用者は単に本発明オルゴールの自動巻上げ演奏装置を電源に接続して所定のスイッチを操作するだけで、オルゴールが繰り返し自動巻上げと演奏を続けることができるという効果があり、またオルゴールの演奏自体には電動モータを使用せず、内蔵のぜんまいによってオルゴールを演奏させることでオルゴールの演奏中に電動モータの音が雑音としてオルゴールの音に混じらないという効果が得られ、またこの結果オルゴールの音色を常にきれいな澄んだ美しいものとし得、オルゴールの自動巻上げ演奏装置の商品価値を非常に高いものとすることができる効果がある。
【００３４】また上記構成に加えて、各部品を収容しオルゴールの音を拡大させると共に外部に発散させる共鳴箱と、電動モータの右・左回転方向夫々の回転数を検出する電動モータの回転数検出センサを備えたので、該電動モータの回転数検出センサによる検出結果に基づいて、オルゴールの巻上げ軸の正しい巻上げ回転数（通常右に４回）と、正しい巻戻し回転数（通常左に４回）となるように電動モータの回転軸の回転方向と回転数を制御装置により制御すると共に、電動モータによるオルゴールの巻上げが不十分と判断された際には演奏に先立って電動モータによりオルゴールの巻増しを可能とすることができる効果があり、また通常は常に限度一杯までの巻上げを可能としながら、過剰の巻上げ及び過剰の巻戻しをさせないことによりクラッチ装置の破損を防止することができる効果があり、オルゴールの正常な演奏時間を常に保つことができるという効果が得られ、また巻上げが不十分の場合にそのままオルゴールが演奏されて予想より短い時間で演奏が停止することがないようにし得る効果がある。また共鳴箱によって、それ自体では小さなオルゴールの音が十分に大きな音に拡大されて外部に発散されるので、人が大勢集まる場所や広い場所での使用に耐え得るという効果がある。
【００３５】更には、上記構成に加えてオルゴールの演奏曲の先頭を検出する曲先頭検出センサを備え、該曲先頭検出センサの検出結果に基づいて、オルゴールは常に曲の先頭で演奏を停止させるような制御を可能とし、オルゴールの全部又は一部が停止状態にあるときに、停止中のオルゴールのすべてについて曲の先頭で停止していることが中央情報処理装置により常に把握されているように構成したので、各オルゴールの演奏を開始させるときには、常に曲の先頭から演奏を開始させることができるという効果があり、オルゴールの自動巻上げ演奏装置の商品価値を一層高めることができる効果が得られる。
【００３６】また上記構成に加えて前記オルゴールの演奏を途中で停止させ又は停止を解除するオルゴールの演奏停止用電動モータと、複数のオルゴールのうち演奏中のオルゴールのみを照明するために複数のオルゴール夫々に設けられた照明装置とを備えることで、オルゴールの演奏停止用電動モータによりオルゴールの演奏を任意の位置で停止させることができるようにすると共に、照明装置の点灯により複数のオルゴールのうち演奏中のオルゴールが外部から視認できるように構成したので、オルゴールの演奏を手動又は自動で任意に制御できる便利さを獲得し得る効果があり、演奏中のオルゴールの照明装置の点灯により演奏される曲との関連からその時の時刻が認識され易いようにすることができ、またこの結果オルゴールの自動巻上げ演奏装置の実用的な機能性、インテリアとしての美しさ及び楽しさを演出できるという効果がある。
【００３７】また上記構成に加えて電波時計装置を備えることで照明装置の点灯により複数のオルゴールのうち演奏中のオルゴールが外部から視認できるようにすると共に、電波時計装置により複数のオルゴールの演奏時刻を夫々設定して設定された時刻に各オルゴールが夫々別の曲を自動演奏できるように構成したので、一般家庭はもとより、保育園、小学校、中学校、高等学校、大学、専門学校、会社、公共団体、官庁、老人ホーム等各種の人が集まる場所に設置することにより、例えば４個のオルゴールを用いた場合には、これらの場所において、１回目は朝の始業・授業の開始時刻、２回目は正午の時刻、３回目は３時の休憩時刻、４回目は終業・帰宅時刻の４回に、毎日規則正しく夫々異なる曲のオルゴールの自動演奏を可能とすることができる効果があり、またこの結果従来のチャイムでは得られなかった美しいオルゴールの生の音色でこれらの時刻を人々に知らせることができ、またこの結果色々な場所における雰囲気をより良くして、教育現場や職場の環境の改善を図ることができるという効果が得られる。
【００３８】また上記構成に加えて時計装置（アナログやデジタルの普通の時計）を備えたので、オルゴールの自動巻上げ演奏装置が置き時計としても使用できるという効果があり、また複数のオルゴールを周囲に配置し、その中央に時計装置を配置することで、従来にないオルゴールと時計が組み合わされた斬新なデザインのインテリア性が極めて高く商品価値も非常に高い新規な置き時計とチャイムを兼ね備えたオルゴールの自動巻上げ演奏装置を提供し得る効果がある。
【００３９】更には、電動モータと、手動巻上げ式のオルゴールと、電動モータの回転軸に固定され左ねじが形成されると共に該ねじ軸よりも大径となる突起部が形成されたねじ軸と該ねじ軸に螺合するナットと該ナットに固定され該ナットと共に回転すると共にねじ軸とナットとの相対回転に相当する該ナットの移動距離と同等以上の距離だけ軸方向に移動可能とする空間が内部に形成されオルゴールの巻上げ軸の腕部に係合する移動距離以上の長さを持つ係合部材が取り付けられた回転スライドクラッチ部材とを有し電動モータによるオルゴールの巻上げ時には、該電動モータの巻上げ方向の回転によりナットがオルゴール方向に移動することでねじ軸の突起部に接触することによって該ナット及び回転スライドクラッチ部材が一体となる結果電動モータの回転軸とオルゴールの巻上げ軸を接続してオルゴールの巻上げ軸を巻上げ方向に回転させて該オルゴールの巻き上げを可能とすると共にオルゴールの演奏時には、電動モータを巻上げ時の巻上げ方向の回転数と同数だけ巻戻し方向に回転させることでナットを電動モータ方向に移動させてねじ軸の突起部とナットとの接触を解除する共に該ナット及び回転スライドクラッチ部材を電動モータ方向に移動させることによって電動モータの回転軸とオルゴールの巻上げ軸との接続を遮断して電動モータを停止させた状態で巻上げ軸の巻戻し方向の回転を許容してオルゴールの演奏を可能とする機械式クラッチ装置と、電動モータ、クラッチ装置及びオルゴールの演奏を制御する中央情報処理装置を含む制御装置と、これらの各部品を収容し前記オルゴールの音を拡大させると共に外部に発散させる共鳴箱とを備えることでオルゴールの自動巻上げ及び自動演奏を可能としたので、非常に簡単な構造、かつ安価な機構によってクラッチ装置を実現可能とする効果があり、またこの結果例えば１台のオルゴールの自動巻上げ演奏装置に４個のオルゴールとこれらに専用の電動モータとクラッチ装置を設けても装置全体を比較的安価に提供できるという効果がある。
また電動モータの回転軸に固定された左ねじが切られたねじ軸と、これに螺合するひだりねじのナットと、該ナットに固定された回転スライドクラッチ部材の組合せという簡単な機構を採用したので、非常に耐久性が大きく、極めて多い反復継続使用が予想されるオルゴールの自動演奏装置であっても、その長年の使用に耐え得る耐久性の大きいクラッチ装置を提供できる効果があり、またこの結果安価でありながら信頼度の極めて高いオルゴールの自動巻上げ演奏装置を提供することができる効果がある。
【００４０】更には、電動モータと、手動巻上げ式のオルゴールと、電動モータと共に電源に並列に接続されて該電動モータへの通電と同時に通電されて電磁力を生じさせる回転可能な電磁石と電動モータの回転時には該電磁石に吸着されることで該電磁石と一体化される回転可能な磁性部材を有し、電磁石と磁性部材のいずれか一方を電動モータの回転軸及びオルゴールの巻上げ軸のいずれかに夫々取り付けるように構成され、電動モータによるオルゴールの巻上げ時には、電磁石に通電して電磁石と磁性部材とを吸着させて一体化することで電動モータの回転軸と該オルゴールの巻上げ軸を接続してオルゴールの巻上げ軸を巻上げ方向に回転させて該オルゴールの巻き上げを可能とすると共にオルゴールの演奏時には、電動モータを停止させると同時に電磁石への通電を停止させることで電磁石と磁性部材との吸着を解除することによって電動モータの回転軸とオルゴールの巻上げ軸との接続を遮断して電動モータを停止させた状態で巻上げ軸の巻戻し方向の回転を許容してオルゴールの演奏を可能とする電磁クラッチからなるクラッチ装置と、電動モータ、電磁クラッチ及びオルゴールの演奏を制御する中央情報処理装置を含む制御装置と、これらの各部品を収容しオルゴールの音を拡大させると共に外部に発散させる共鳴箱とを備え、オルゴールの自動巻上げ及び自動演奏を可能としたので、電動モータの回転軸とオルゴールの巻上げ軸との断接を行うクラッチ装置の操作において、機械式クラッチ装置におけるような電動モータの巻戻し方向の逆回転操作を不要とし得る効果があり、またこの結果制御装置による制御をより簡略化して制御装置のコストの低減と、クラッチ装置の部品数の減少と機構の簡略化を図ることができる効果が得られる。
【００４１】また少なくとも２つの電動モータと、少なくとも２つの手動巻上げ式のオルゴールと、電動モータによるオルゴールの巻上げ時には電動モータの回転軸と該オルゴールの巻上げ軸を接続してオルゴールの巻上げ軸を巻上げ方向に回転させて該オルゴールの巻き上げを可能とすると共にオルゴールの演奏時には電動モータの回転軸とオルゴールの巻上げ軸との接続を遮断して電動モータを停止させた状態で巻上げ軸の巻戻し方向の回転を許容してオルゴールの演奏を可能とするクラッチ装置と、電波時計装置と、就寝時用照明と起床時用照明とで照度が変化するようにした照明装置と、電動モータ、照明装置、クラッチ装置及びオルゴールの演奏を制御する中央情報処理装置を含む制御装置と、外部から視認できる前面位置に配置された時計と、これらの各部品を収容しオルゴールの音を拡大させると共に外部に発散させる共鳴箱とを備え、オルゴールの自動巻上げ及び自動演奏を可能とし、就寝時にはオルゴールのうちの就寝に適した曲のオルゴールを演奏させると共に照明装置の照度を暫時低下させ、起床時にはオルゴールのうちの起床に適した曲のオルゴールを演奏させると共に照明装置の照度を暫時増大させるように構成したので、就寝時及び起床時夫々において無理なく快適に就寝及び起床ができるという効果があり、またこの結果オルゴールの美しい生演奏の音色によって就寝・起床ができるばかりでなく、照明装置の点滅により聴覚だけでなく視覚によっても就寝・起床が促進されるようになるため健康にも良く、インテリアとしての価値も高い目覚まし時計を兼ねたオルゴールの自動巻上げ演奏装置を提供できる効果が得られる。
【００４２】また電動モータに、その最終出力回転軸が６０ｒｐｍとなる減速機を内蔵したギヤドモータを採用したので、電動モータによるオルゴールの巻上げであるにもかかわらず、手動での巻上げと同程度の巻上げ速度で違和感及び無理なく、かつオルゴールを傷めることなく繰り返し自動でオルゴールの巻上げができるという効果があり、またオルゴールの演奏開始と同時にクラッチ装置の遮断のために電動モータを逆回転させる場合でも、その際の巻上げ軸の巻戻し回転よりも相当速い速度（例えば６０ｒｐｍ位）で電動モータを例えば４回転逆転させる際の電動モータから出る音の時間を非常にわずか（例えば４秒位）にし得るようにできるため、ほとんどこの際の電動モータの回転音が雑音として聞こえないという効果がある。
【００４３】またオルゴールの演奏停止用電動モータには、その最終出力回転軸が６０ｒｐｍとなる減速機を内蔵したギヤドモータを採用したので、通常共鳴箱の開閉によりオルゴールの演奏停止・開始を行う場合と同程度の速度で無理なく高速で回転している羽車を強制的に停止させてオルゴールの演奏を停止させることができるという効果があるり、またこの結果オルゴールの演奏を電動モータにより行っても長期にわたりオルゴールを損傷させないようにすることができる効果が得られる。
【図面の簡単な説明】
【００４４】
【図１】図面は本発明の実施例に係り、図１はオルゴールの自動巻上げ演奏装置の正面斜視図である。
【図２】共鳴箱に収容された複数（４つ）の電動モータ、クラッチ装置、オルゴール、照明装置及び１つの時計の取付け状態を示す、設定スイッチの基板や電子基板関係部品を取り除いた状態のオルゴールの自動巻上げ演奏装置の背面斜視図である。
【図３】オルゴールの自動巻上げ演奏装置の背面斜視図である。
【図４】設定スイッチの基板の取付け状態を示すオルゴールの自動巻上げ演奏装置の背面斜視図である。
【図５】目覚まし時計を兼ねたオルゴールの自動巻上げ演奏装置の正面斜視図である。
【図６】共鳴箱に収容された２つの電動モータ、クラッチ装置及びオルゴールと、１つの照明装置及び時計の取付け状態を示す、設定スイッチの基板や電子基板関係部品を取り除いた状態の目覚まし時計を兼ねたオルゴールの自動巻上げ演奏装置の背面斜視図である。
【図７】目覚まし時計を兼ねたオルゴールの自動巻上げ演奏装置の背面斜視図である。
【図８】オルゴールの自動巻上げ演奏装置の組立完成直後において回転スライドクラッチ部材が電動モータ方向に最も接近してナットがねじ軸の突起部から最も離れた位置にある状態を示すオルゴール及び電動モータを含む機械式のクラッチ装置の部分縦断面図である。
【図９】図８の状態における機械式のクラッチ装置、電動モータの回転数検出センサ、オルゴール及びその曲先頭検出センサの取付け状態を示す部分破断斜視図である。
【図１０】回転スライドクラッチ部材とオルゴールの巻上げ軸及びその腕部を示す部分斜視図である。
【図１１】機械式のクラッチ装置の、オルゴール及び電動モータを含む分解斜視図である。
【図１２】オルゴールの自動巻上げ演奏装置の使用開始において、電動モータが巻上げ方向に回転してナットが無回転で回転スライドクラッチ部材と共にオルゴール方向に単にスライドする状態を示すオルゴール及び電動モータを含む機械式のクラッチ装置の部分縦断面図である。
【図１３】電動モータが時計方向に回転してナットがねじ軸の突起部に当接し、該ねじ軸と一体となることで電動モータの回転軸とオルゴールの巻上げ軸とが回転スライドクラッチ部材を介して接続され、同時に回転スライドクラッチ部材が時計方向に回転を開始し、その係合部材がオルゴールの巻上げ軸の腕部及び巻上げ軸を時計方向に回転させてオルゴールを巻き上げる状態（又はオルゴールがフル演奏を終了して巻上げを待つ状態）を示すオルゴール及び電動モータを含む機械式のクラッチ装置の部分縦断面図である。
【図１４】オルゴールの巻上げが完了して、制御装置により未だ演奏は開始しない状態において、電動モータが巻戻し方向に回転してナットがねじ軸の突起部と離脱することでナット及び回転スライドクラッチ部材が無回転で電動モータ方向に単にスライドしてクラッチ装置が電動モータの回転軸とオルゴールの巻上げ軸との接続を遮断し、これによってオルゴールの巻上げ軸の巻戻し回転を許容する状態を示すオルゴール及び電動モータを含む機械式のクラッチ装置の部分縦断面図である。
【図１５】オルゴールが制御装置により制御されて演奏を開始し、曲を演奏しながらその巻上げ軸が巻戻し方向にゆっくり巻戻し回転をし、このときクラッチ装置の回転スライドクラッチ部材は電動モータの回転軸と一体のねじ軸に対して回転自由の状態にあるため、電動モータが停止していても自由に回転でき、オルゴールの巻上げ軸の腕部が係合部材を介して回転スライドクラッチ部材を巻戻し方向に回転させ、この結果ナットとねじ軸は左ねじであるため回転スライドクラッチ部材がオルゴールの巻上げ軸と同一の回転をしながらオルゴール方向にスライドして図１３に示す位置（電動モータによるオルゴールの巻上げ開始位置）まで戻る状態を示すオルゴール及び電動モータを含む機械式のクラッチ装置の部分縦断面図である。
【図１６】オルゴールと、その演奏停止装置及び曲先頭検出センサの取付け状態を示す平面図である。
【図１７】オルゴールと、その演奏停止装置及び演奏停止用電動モータの取付け状態を示す部分縦断面側面図である。
【図１８】オルゴールの演奏停止装置が退いて羽車が回転してオルゴールが演奏をしている状態を示すオルゴールの部分平面図である。
【図１９】オルゴールの演奏停止装置が作動して羽車の回転が阻止されて停止し、オルゴールの演奏が停止した状態を示すオルゴールの部分平面図である。
【図２０】図２０及び図２１は、機械式のクラッチ装置の別実施例に係り、図２０は回転スライドクラッチ部材のオルゴールの巻上げ軸に対する係合部材をピン状部材から係合溝に変えた状態を示すオルゴール及び電動モータを含む機械式のクラッチ装置の側面部分縦断面図である。
【図２１】図２０に示すものの平面図である。
【図２２】図２２から図２５はクラッチ装置の第２実施例に係り、図２２はオルゴール及び電動モータを含む電磁クラッチの側面図である。
【図２３】電磁クラッチ及び電動モータの電源スイッチが切られ、電磁クラッチが電動モータの回転軸とオルゴールの巻上げ軸との接続を遮断してオルゴールの巻上げ軸の巻戻し回転を許容するオルゴールの演奏可能状態を示す回路図である。
【図２４】電磁クラッチ及び電動モータの電源スイッチが投入され、電磁クラッチが電動モータの回転軸とオルゴールの巻上げ軸とを接続し、電動モータが巻上げ方向に回転することによって電磁クラッチを介してオルゴールの巻上げ軸を巻上げ方向に回転させてオルゴールを巻き上げている状態を示す回路図である。
【図２５】電磁クラッチ及び電動モータの電源スイッチが切られ、電磁クラッチが電動モータの回転軸とオルゴールの巻上げ軸との接続を遮断してオルゴールの巻上げ軸の巻戻し回転を許容してオルゴールが演奏している状態を示す回路図である。
【図２６】複数（４つ）のオルゴールを用いたオルゴールの自動巻上げ演奏装置の入力装置、制御装置及び出力装置を示すブロック図である。
【図２７】２つのオルゴールと１つの照明装置を用いた目覚まし時計を兼ねたオルゴールの自動巻上げ演奏装置の入力装置、制御装置及び出力装置を示すブロック図である。
【発明を実施するための形態】
【００４５】以下本発明を図面に示す実施例に基づいて説明する。図１から図４、図８から図１１及び図２６において、本発明に係るオルゴールの自動巻上げ演奏装置１は、基本的に電動モータ２と、手動巻上げ式のオルゴール３（３Ａ，３Ｂ，３Ｃ，３Ｄ）と、電動モータ２（２Ａ，２Ｂ，２Ｃ，２Ｄ）によるオルゴール３の巻上げ時には電動モータ２の回転軸２ａと該オルゴールの巻上げ軸３ａとを接続してオルゴール３の巻上げ軸３ａを巻上げ方向に回転させて該オルゴールの巻き上げを可能とすると共にオルゴール３の演奏時には電動モータ２の回転軸２ａとオルゴール３の巻上げ軸３ａとの接続を遮断して電動モータ２を停止させた状態で巻上げ軸３ａの巻戻し方向の回転を許容してオルゴール３の演奏を可能とする（図８の実施例では機械式の）クラッチ装置４と、電動モータ２、クラッチ装置４及びオルゴール３の演奏を制御する中央情報処理装置５を含む制御装置６と、これらの各部品を収容しオルゴール３の音を拡大させると共に外部に発散させる共鳴箱８とを備え、オルゴール３の自動巻上げ及び自動演奏を可能としたものである。
またこれらに加えて、電動モータ２の回転数検出センサ９（図９、図１１及び図２６）と、オルゴール３の曲先頭検出センサ１０（図９、図１６及び図２６）と、オルゴール３の演奏停止用電動モータ１１（１１Ａ，１１Ｂ，１１Ｃ，１１Ｄ）（図１７及び図２６）と、オルゴール３の照明装置１２（１２Ａ，１２Ｂ，１２Ｃ，１２Ｄ）（図１、図２及び図２６）と、基板内蔵の電波時計装置１３（図２６）と、時計の一例たるアナログ時計１４（図１、図２及び図４）とを備えている。
【００４６】図１及び図２において、共鳴箱８の前面８ａには、一例として４つの丸穴８ｂが四角形状配置位置にあけられ、該丸穴の位置に４つのオルゴール３及び各オルゴール照明用の４つの照明装置１２（１２Ａ，１２Ｂ，１２Ｃ，１２Ｄ）が夫々適宜取り付けられ、また該丸穴８ｂには共鳴箱８内部のオルゴール３及び照明装置１２の光が外部から見えるように、ガラス、ポリカーボネート樹脂等の透明板１５が貼付されており、前面の中央部には電池駆動のアナログ時計１４が取り付けられて置き時計１６としても使用できるようになっており、また両側面８ｃにはオルゴール３の拡大された音を外部に拡散させるためのスリット８ｄが夫々形成され、該スリット８ｄには、音は通過するがごみや埃が共鳴箱８の内部に侵入しないようにするための網（図示せず）が貼付されている。
【００４７】図１から図４において、共鳴箱８の上面８ｅには、４つのオルゴール３（３Ａ，３Ｂ，３Ｃ，３Ｄ）のいずれかを選択してオルゴール３ごとに異なる曲を手動選曲するための選曲スイッチ２０（２０Ａ，２０Ｂ，２０Ｃ，２０Ｄ）及びオルゴール３を停止させ、照明装置１２（１２Ａ，１２Ｂ，１２Ｃ，１２Ｄ）を消灯させるための停止スイッチ２１が取り付けられており、例えば選曲スイッチ２０Ａを押すことにより、電動モータ２Ａがオルゴール３Ａのぜんまい３ｂ（図２２から図２５）を自動で巻き上げ、オルゴール３Ａが演奏を開始すると共に、その照明装置１２Ａが点灯して、この際どのオルゴール２が演奏しているかが外部から視認できるようになっており、またそのままにしておけば電動モータ２Ａが繰り返しオルゴール３Ａのぜんまい３ｂを巻いて、連続して同一の曲の自動演奏が続き、停止スイッチ２１を押すことにより、演奏中のオルゴール３Ａの演奏が停止すると共に、その照明装置１２Ａが消灯するというように、オルゴール３のプログラムされた自動演奏ばかりでなく、必要に応じて手動で好みのオルゴール３の曲を自動又は手動演奏させて楽しむことができるように構成されている。
また共鳴箱８からは電源コード１８が引き出され、Ａ／Ｃアダプタ１９を介して通常の家庭用１００Ｖの交流商用電源（図示せず）に接続され、オルゴールの自動巻上げ演奏装置１は直流電源により駆動されるようになっている。
【００４８】図３及び図４において、共鳴箱８の背面には、オルゴールの自動巻上げ演奏装置１を、各オルゴール３Ａ，３Ｂ，３Ｃ，３Ｄがプログラムされた順序や時刻に自動演奏をするチャイムとして使用する場合のように、自動演奏させるときに使用する、オルゴール３の番号、年月日、曜日、時刻、演奏順、演奏回数、毎日、毎週、毎月等の項目（パラメータ）や数値を設定するための設定スイッチ２２と、設定された各項目と数値等を表示するための液晶表示板２３（例えば１６文字、２行のもの）が取り付けられており、設定スイッチ２２の押しボタン２４（２４Ａ，２４Ｂ，２４Ｃ，２４Ｄ，２４Ｅ）は、５つ設けられ、横方向配置の押しボタン２４Ａ，２４Ｂは項目選択用、縦方向配置の押しボタン２４Ｃ，２４Ｄは数値選択用で中央の押しボタン２４Ｅは決定（ＥＮＴ）用として用いるようになっている。
【００４９】次に、図５から図７及び図２７に示す本発明オルゴールの自動巻上げ演奏装置１の別実施例の目覚まし時計を兼ねたオルゴールの自動巻上げ演奏装置１について説明する。
この目覚まし時計を兼ねたオルゴールの自動巻上げ演奏装置１は、少なくとも２つの電動モータ２（２Ａ，２Ｂ）と、少なくとも２つの手動巻上げ式のオルゴール３（３Ａ，３Ｂ）と、電動モータ２によるオルゴール３の巻上げ時には電動モータ２の回転軸２ａとオルゴール３の巻上げ軸３ａとを接続してオルゴール３の巻上げ軸３ａを巻上げ方向に回転させて該オルゴールの巻き上げを可能とすると共にオルゴール３の演奏時には電動モータ２の回転軸２ａとオルゴール３の巻上げ軸３ａとの接続を遮断して電動モータ２を停止させた状態で巻上げ軸３ａの巻戻し方向の回転を許容してオルゴール３の演奏を可能とするクラッチ装置４と、電波時計装置１３（図２７）と、就寝時用照明と起床時用照明とで照度が変化するようにした照明装置１２と、電動モータ２、照明装置１２、クラッチ装置４及びオルゴールの演奏を制御する中央情報処理装置５を含む制御装置６と、外部から視認できる前面位置に配置された時計の一例たるアナログ時計１４と、これらの各部品を収容しオルゴール３の音を拡大させると共に外部に発散させる共鳴箱８とを備え、オルゴール３の自動巻上げ及び自動演奏を可能とし、就寝時にはオルゴール３のうちの就寝に適した曲のオルゴール３Ａを演奏させると共に照明装置１２の照度を暫時低下させ、起床時にはオルゴール３のうちの起床に適した曲のオルゴール３Ｂを演奏させると共に照明装置１２の照度を暫時増大させるように構成したものである。
【００５０】図５から図７において、共鳴箱８の前面８ａには、一例として１つの丸穴８ｂが上部中央にあけられ、該丸穴にアナログ時計１４が取り付けられ、また下部中央には角の取れた角穴８ｆがあけられ、該角穴にはＬＥＤランプ等の照明装置１２が取り付けられ、また丸穴８ｂと角穴８ｆにはガラス、ポリカーボネート樹脂等の透明板１５が貼付されており、前面８ａと両側面８ｃの両角部にはオルゴール３の拡大された音を外部に拡散させるためのスリット８ｄが夫々形成され、該スリット８ｄには、音は通過するがごみや埃が共鳴箱８の内部に侵入しないようにするための網（図示せず）が貼付されている。
【００５１】図５から図７において、共鳴箱８の上面８ｅには、２つのオルゴール３（３Ａ，３Ｂ）のいずれかを選択してオルゴール３ごとに異なる曲を手動選曲するための選曲スイッチ２０（２０Ａ，２０Ｂ）及びオルゴール３を停止させ、照明装置１２を消灯させるための停止スイッチ２１が取り付けられており、例えば選曲スイッチ２０Ａを押すことにより、電動モータ２Ａがオルゴール３Ａのぜんまい３ｂ（図２２から図２５）を自動で巻き上げ、オルゴール３Ａが演奏を開始すると共に、その照明装置１２Ａが点灯して、この際オルゴール２が演奏中であることが外部から視認できるようになっており、またそのままにしておけば電動モータ２Ａが繰り返しオルゴール３Ａのぜんまい３ｂを巻いて、連続して同一の曲の自動演奏が続き、停止スイッチ２１を押すことにより、演奏中のオルゴール３Ａの演奏が停止すると共に、照明装置１２が消灯するというように、オルゴール３のプログラムされた目覚まし時計用の自動演奏ばかりでなく、必要に応じて手動で好みのオルゴール３Ａ又は３Ｂのいずれかの曲を自動又は手動演奏させて楽しむことができるように構成されている。
【００５２】図６において、電動モータ２（２Ａ，２Ｂ）とクラッチ装置４（４Ａ，４Ｂ）とオルゴール３（３Ａ，３Ｂ）は、図示のように、共鳴箱８の前面８ａの上下及び左右の中央部の裏側に横並びに配置されて取り付けられ、外部からは見えないように共鳴箱８内に収容されている。
【００５３】図７において、共鳴箱８の背面には、オルゴールの自動巻上げ演奏装置１を、各オルゴール３Ａ，３Ｂをプログラムされた順序や時刻に自動演奏をする目覚まし時計として使用する場合のように、自動演奏させるときに使用する、オルゴール３の番号、年月日、曜日、時刻、演奏順、演奏回数、毎日、毎週、毎月等の項目（パラメータ）や数値を設定するための設定スイッチ２２と、設定された各項目と数値等を表示するための液晶表示板２３（例えば１６文字、２行のもの）が取り付けられており、設定スイッチ２２の押しボタン２４（２４Ａ，２４Ｂ，２４Ｃ，２４Ｄ，２４Ｅ）は、５つ設けられ、横方向配置の押しボタン２４Ａ，２４Ｂは項目選択用、縦方向配置の押しボタン２４Ｃ，２４Ｄは数値選択用で中央の押しボタン２４Ｅは決定（ＥＮＴ）用として用いるようになっている。
【００５４】次に、図８から図１５において、本発明オルゴールの自動巻上げ演奏装置１を実現させるにつき、最も重要な機械式のクラッチ装置４について詳細に説明する。
このクラッチ装置４は、電動モータ２の回転軸２ａに固定され左ねじが形成されると共により大径となる突起部２５ａが形成されたねじ軸２５と該ねじ軸に螺合するナット２６と該ナットに固定され該ナットと共に回転すると共にねじ軸２５とナット２６との相対回転に相当する該ナットの移動距離と同等以上の距離だけ軸方向に移動可能とする空間２８が内部に形成されオルゴール３の巻上げ軸３ａの腕部３ｃに係合する移動距離以上の長さを持つ係合部材２９が取り付けられた回転スライドクラッチ部材３０とを有し、電動モータ２によるオルゴール３の巻上げ時には、電動モータ２の巻上げ方向の回転によりナット２６がオルゴール３方向に移動することでねじ軸２５の突起部２５ａに接触することによってナット２６及び回転スライドクラッチ部材３０が一体となる結果電動モータ２の回転軸２ａとオルゴール３の巻上げ軸３ａを接続してオルゴール３の巻上げ軸３ａを巻上げ方向に回転させて該オルゴールの巻き上げを可能とすると共に、オルゴール３の演奏時には、電動モータ２を巻上げ時の巻上げ方向の回転数と同数だけ巻戻し方向に回転させることでナット２６を電動モータ２方向に移動させてねじ軸２５の突起部２５ａとナット２６との接触を解除すると共に該ナット及び回転スライドクラッチ部材３０を電動モータ２方向に移動させることによって、電動モータ２の回転軸２ａとオルゴール３の巻上げ軸３ａとの接続を遮断して電動モータ２を停止させた状態で巻上げ軸３ａの巻戻し方向の回転を許容してオルゴール３の演奏を可能としたものである。
【００５５】図８から図１１において、オルゴール３は、その基台３ｄが共鳴箱８に固着された取付け板３１にねじ止め等の手段で取り付けられており、取付け板３１の丸穴３１ａをその巻上げ軸３ａがかなりの隙間を以て貫通してしており、巻上げ軸３ａの先端には、通常は人の指でこれを巻き上げるための腕部３ｃが、巻上げ軸３ａと共にＴ字形となるように直角に植設固着されていて、この腕部３ｃに回転スライドクラッチ部材３０にねじ止めされた４本の係合部材２９のうちの対向する２本が係合して回転スライドクラッチ部材３０が巻上げ方向に回転することでオルゴール３の巻上げ軸３ａが巻上げ方向に回転してオルゴール３が巻き上げられるように構成されている。
なお、この巻上げ軸３ａは市販のオルゴール３の巻上げ軸（図示せず）とは異なり、自動巻上げに適した、図示のような少し長さを増した巻上げ軸３ａに交換したものである。
【００５６】またオルゴール３には、図１１に示すように、オルゴールの曲の先頭を検出するための曲先頭検出センサ１０（一例としてＣＭＯＳ磁気センサが用いられる。）が基台３ｄに取り付けられており、またこの検出を可能とするため、図１６も参照して、オルゴール３のドラム３ｅの曲の先頭部分に直径１０．５ｍｍのネオジウム磁石等の磁石３ｆが埋設固着されており、オルゴール３はそのドラム３ｅの１回転で曲が終了し、曲の先頭部分に戻るようになっているので、オルゴール３の演奏によりこのドラム３ｅが回転して磁石３ｆが曲先頭検出センサ１０に対向する位置に到達すると、この位置が曲の先頭であることが検出され、この検出信号が入力ポートＩ／Ｐを介して中央情報処理装置５（図２６）に入力されるようになっている。
【００５７】電動モータ２は、直流モータで、通常は非常な高速回転をするものであり、一例として適性負荷回転数は１３，４００ｒｐｍ位であるため、オルゴール３の巻上げ軸３ａを人の指で巻き上げる速度（６０ｒｐｍ位）と同程度にしなければ実用にならない。
このため、本発明で用いる電動モータ２は、減速比１／２５０位の平歯車列を採用した減速機３２を内蔵したギヤードモータを採用しているので、電動モータ２の回転軸２ａの適性負荷時の回転数は６０ｒｐｍ位、即ち毎秒１回転位の回転速度に設定されており、人の指で巻き上げるのと同程度の速度でオルゴール３の巻上げ軸３ａを、電動モータ２から見て時計方向にゆっくりと、また大きなトルクで巻き上げることができるように構成されている。
ここで本発明（請求項１０）において、電動モータ２の回転数を６０ｒｐｍに限定したことの意味及びその理由を説明すると、この６０ｒｐｍという数値は厳密に「６０ｒｐｍ」という意味の数値ではなく、６０ｒｐｍ位であればよいという意味であり、当然手動巻上げの回転数と同程度という意味であるから、６０±１０ｒｐｍの範囲は特許請求の範囲及び明細書でいう「６０ｒｐｍ」に含まれると解釈すべきである。その理由は、７０ｒｐｍを超えると、少し巻上げ速度が速すぎてオルゴール３のぜんまい３ｂに無理がかかるようになり、また５０ｒｐｍ未満となると、オルゴール３の巻上げ時間が長くなって、必要以上に巻上げに時間がかかり、オルゴールの自動巻上げ演奏装置１の商品価値が劣るようになるためである。
なお、オルゴール３の巻上げ軸３ａは、通常右利きの使用者が右手の指で巻き上げることが極めて多いので、オルゴール３に向かって時計方向が巻上げ方向となるように製作されている。そこで電動モータ２も巻上げ時には、同様に該電動モータから見て時計方向に回転するように配線されている。
【００５８】電動モータ２には円形の取付け板３３がねじ止め等の手段で固着されており、該取付け板にあけられた取付け穴３３ａに、両端にめねじ穴３４ａがあけられた３本の支柱３４がねじ３５により夫々ねじ止め固定されることで、電動モータ２と取付け板３３と３本の支柱３４とが一体化され、支柱３４が取付け板３１にねじ止めにより固定されて、図８に示すように、電動モータ２は共鳴箱８に固定されている。
そしてこの場合、電動モータ２の回転軸２ａとオルゴール３の巻上げ軸３ａとが一直線上に配置され、これらの中間にクラッチ装置４が介在配置されて、必要に応じて電動モータ２の回転軸２ａとオルゴール３の巻上げ軸３ａが断接される構成としたものである。
【００５９】電動モータ２の回転軸２ａには、接ぎ手３６が止めねじ３８により固定されており、該接ぎ手３６には、一例として直径６ｍｍのねじ軸２５の一端２５ｂが嵌合して止めねじ３９により固定され、該ねじ軸には他の一端２５ｃに該ねじ軸より大径のつば部２５ｄが形成され、該つば部に接近してねじ軸２５よりもより大径となるように突起部２５ａがＴ字形に形成されている。
ここで最も重要なことは、オルゴール３の巻上げ軸３ａを電動モータ２から見て時計方向、即ち右方向に回転させて巻き上げることが大前提であるため、ねじ軸２５には通常の右ねじのねじ山（図示せず）を切るのではなく、左ねじのねじ山２５ｅが切られている点である。
なお、ねじ軸２５のねじ山２５ｅのリード（ねじ軸２５は１条ねじであるためリードとピッチは等しい）は一例として１ｍｍに設定されており、オルゴール３の巻上げ軸３ａのフル巻上げ回数が約４回に決まっているため、ねじ軸２５の４回転でナット２６及び回転スライドクラッチ部材３０は４ｍｍだけ軸方向に移動するように設定されている。
【００６０】図８において、ねじ軸２５の突起部２５ａから図中右方向には、一例として４ｍｍ離れた位置に、同じく６ｍｍの左ねじのナット２６が螺合配置されており、該ナットは回転スライドクラッチ部材３０の丸穴の空間２８に嵌入し、一対の止めねじ４０により回転スライドクラッチ部材３０の内部に固定されて一体化されている。
そしてねじ軸２５が時計方向、即ち巻上げ方向に４回転すると、ナット２６が回転スライドクラッチ部材３０と共に４ｍｍだけ無回転で図中左方向に移動してねじ軸２５の突起部２５ａに当接し、これによってナット２６がねじ軸２５と一体となる結果クラッチ装置４が接続状態となり、回転スライドクラッチ部材３０が移動を止めてねじ軸２５と一体となって時計方向に回転して係合部材２９によりオルゴール３の巻上げ軸３ａを巻上げ方向に回転させてオルゴール３のぜんまい３ｂの巻上げができるように構成されている。
【００６１】図８及び図９において、４本の係合部材２９は、そのねじ部２９ａが回転スライドクラッチ部材３０のめねじ穴３０ａに螺合して固定されており、係合部材２９のねじ部２９ａを除く丸棒部２９ｂの長さは、一例として６ｍｍに設定され、回転スライドクラッチ部材３０が電動モータ２方向に４ｍｍにスライドしてもオルゴール３の巻上げ軸３ａの腕部３ｃとの係合が決して外れないような寸法に設定されている。
【００６２】図９において、接ぎ手３６の外周には、一例として直径１０．５ｍｍのネオジウム磁石等の磁石４１が埋設されており、該磁石に対向する位置に、電動モータ２の回転軸２ａの回転数を検出する回転数検出センサ９（一例としてＣＭＯＳ磁気センサが用いられる。）が取り付けられており、磁石４１の右・左回転数、即ち時計方向回転数と反時計方向回転数を判別して検出できるように構成され、この各回転方向の回転数の検出結果が入力ポートＩ／Ｐを介して中央情報処理装置５（図２６）に入力され、電動モータ２の回転方向と各回転方向の回転数が制御装置６により制御されるように構成されている。
【００６３】次に、図１６から図１９において、オルゴール３の演奏停止用電動モータ１１について説明する。演奏停止用電動モータ１１は、オルゴール３を自動停止させる場合には、オルゴール３のドラム３ｅが演奏を終了して曲の先頭が、図１６に示す曲先頭検出センサ１０により検出されたと同時に作動して高速で回転している羽車４２の羽４２ａを停止させ、また手動でオルゴール３を停止させる場合には、図１に示す停止スイッチ２１を押すことで同様にして羽車４２を直ちに停止させるようにしたものであ。
【００６４】図１７において、演奏停止用電動モータ１１は、オルゴール３の基台３ｄに取付け板４３及び支柱４４を介してねじ４５によりねじ止め固定されており、その回転軸１１ａは、オルゴール３の基台３ｄの上側に配置されて羽車４２の羽４２ａの回転動作路に干渉してその回転を停止させる揺動ストッパ４６の回転軸４６ａに、柔軟なシリコンチューブ４８により回転方向に滑らないようにかなり強固に固定されて連結されており、揺動ストッパ４６の腕４６ｂが羽車４２の羽４２ａに衝突したときの衝撃を緩和して、オルゴール３及び演奏停止用電動モータ１１を破損させないように考慮されている。
【００６５】演奏停止用電動モータ１１は、その回転軸１１ａが６０ｒｐｍ位の低速で回転する必要があるため、平歯車列からなる減速比１／２５０の減速機１１ｂを内蔵したギヤードモータを採用している。直流モータは通常その適性負荷回転数は１３，４００ｒｐｍ位であるので、減速比１／２５０であれば、その回転軸１１ａの適性負荷時の回転数は６０ｒｐｍ位となり、目標の回転数となっている。
ここで本発明（請求項１１）において、演奏停止用電動モータ１１の回転数を６０ｒｐｍに限定したことの意味及びその理由を説明すると、この６０ｒｐｍという数値は厳密に「６０ｒｐｍ」という意味の数値ではなく、６０ｒｐｍ位であればよいという意味であり、手動で通常のオルゴール（図示せず）を停止させる動作、即ち通常のオルゴールで共鳴箱等を開閉するときの開閉速度と同程度という意味であるから、６０±１０ｒｐｍの範囲は特許請求の範囲及び明細書でいう「６０ｒｐｍ」に含まれると解釈すべきである。
その理由は、７０ｒｐｍを超えると、ストッパ４６の回転速度が少し速過ぎてオルゴール３の羽車４２の羽４２への衝撃が大きく、該羽に無理がかかるようになり、また５０ｒｐｍ未満となると、演奏停止用電動モータ１１が回転し始めてからストッパ４６により羽車４２が停止するまでの時間が長くなって不都合であることと、オルゴール３のドラム３ｅの曲先頭が曲先頭検出センサ１０により検出されてからなるべく瞬時、例えば１００ｍｓ以内に停止させるという条件を満たせなくなり、ドラム３ｅが曲先頭より少し余計に回転してオーバーランしてしまうおそれが生じるためである。
そしてストッパ４６の適正揺動角度は３０度あれば十分であるので、この３０度の揺動量を確保するための演奏停止用電動モータ１１の必要作動時間は、１００ｍｓ位に設定すればよく、オルゴール３を停止させる場合には、演奏停止用電動モータ１１を１００ｍｓ位作動させてその回転軸１１ａを反時計方向に回転させてストッパ４６の腕４６ｂを、図１６において、同方向に３０度揺動させて電源を切ればよく、これによってオルゴール３は演奏停止状態に保たれ、またオルゴール３の演奏を開始させる場合には、図１６の状態から演奏停止用電動モータ１１を１００ｍｓ位作動させてその回転軸１１ａを時計方向に回転させてストッパ４６の腕４６ｂを同方向に３０度揺動させて電源を切ればオルゴール３は演奏状態に保たれるように構成されている。
またストッパ４６の腕４６ｂをオーバーランさせずに確実に同一位置で停止させるため、オルゴール３の基台３ｄには停止部材４７がねじ止め等の手段で固定されており、該停止部材４７にストッパ４６の腕４６ｂが当接することにより、ストッパ４６が図１６、図１８及び図１９において反時計方向に揺動した場合、即ちオルゴール３を停止させる動作の場合にストッパ４６が確実に同一位置に停止するように構成されている。
更にこの停止部材４７は、オルゴール３の停止中においてもそのぜんまい３ｂのひずみエネルギが残っている限り、わずかではあるが、ドラム３ｅからのトルクが増速機４９を介して羽車４２に作用しているため、常に該羽車４２の羽４２ａがストッパ４６の腕４６ｂを図１９において矢印Ｆの方向（反時計方向）に押圧しているので、このトルクに対抗して、定位置を超えてストッパ４６の腕４６ｂが矢印Ｆ方向に揺動しないようにするためのものでもある。
【００６６】なお図１６において、公知の機構であるが、オルゴール３のドラム３ｅには増速機４９が配設されており、ドラム３ｅと同軸には大径の平歯車５０が、中間軸５１には平歯車５０と噛合する小径の平歯車５２とこれと同軸の中径の平歯車５３が、最終軸５４には平歯車５３と噛合する小径の平歯車５５とこれと同軸のウォームホィール５６が夫々取り付けられており、該ウォームホィール５６に、羽車４２の回転軸４２ａに固着されたウォーム５８が噛合して増速機４９の歯車列が構成され、ドラム３ｅの極く低速回転が増速されて羽車４２が極く高速でウォーム５８と共に矢印Ａの方向に回転し、羽４２ａの空気抵抗によって、ドラム３ｅの回転にブレーキをかけてドラム３ｅの長時間の回転を可能にすると共に、該ドラムの回転むらをなくして安定した曲の演奏ができるように構成されている。
【００６７】次に、図２０及び図２１において、機械式のクラッチ装置４の別実施例について説明する。この実施例は、図８等に示す実施例のクラッチ装置４の回転スライドクラッチ部材３０の４本の係合部材２９を廃止して、回転スライドクラッチ部材３０の図中左端にその回転中心を通る切欠き溝３０ｂを設け、該切欠き溝の幅をオルゴール３の巻上げ軸３ａの腕部３ｃの直径よりもわずかに広くして該腕部が多少の隙間を以て切欠き溝３０ｂに係合する溝幅にして、巻上げ軸３ａの腕部３ｃと回転スライドクラッチ部材３０とが互いに回転方向には拘束され、軸方向には摺動自在に構成したものであり、これによって、回転スライドクラッチ部材３０からオルゴール３のねじ軸３ａに対して回転力を伝えながら互いに摺動して電動モータ２の回転軸２ａとねじ軸３ａを断接して、電動モータ２によるオルゴール３の巻上げと、電動モータ２の停止時におけるオルゴール３のねじ軸３ａの巻戻し回転を許容してオルゴール３の演奏を可能としたものである。
その他の構成は、図８等の実施例と同一であるので、同一の部分には図面に同一の符号を付してその説明を省略する。
【００６８】次に、図２２から図２５に示すクラッチ装置４の第２実施例について説明する。この第２実施例は、機械式の第１実施例のクラッチ装置４に代えて、電磁クラッチ５９を用いて、オルゴール３の演奏時における巻上げ軸３ａの巻戻し回転を許容するための電動モータ２の反時計方向の回転動作及びその制御を不要として機構の簡略化と、制御の容易化を図ったものである。
電磁クラッチ５９は、電動モータ２と、手動巻上げ式のオルゴール３と、電動モータ２と共に電源６０に並列に接続されて該電動モータ２への通電と同時に内蔵された電磁コイル（図示せず）に通電されて電磁力を生じさせ、スリップリング（図示せず）の作用により回転可能な電磁石６１と、電動モータ２の回転時には該電磁石に吸着されることで該電磁石と一体化されるように軸方向に摺動自在かつ回転方向に拘束された磁性部材６２を有し、電磁石６１と磁性部材６２のいずれか一方を電動モータ２の回転軸２ａ及びオルゴール３の巻上げ軸３ａのいずれかに夫々取り付けるように構成され、電動モータ２によるオルゴール３の巻上げ時には、選曲スイッチ２０の閉動作又は制御装置６の自動制御により電磁石６１に通電して電磁石６１と磁性部材６２とを吸着させて一体化することで電動モータ２の回転軸２ａとオルゴール３の巻上げ軸３ａとを接続してオルゴール３の巻上げ軸３ａを巻上げ方向に回転させて該オルゴールの巻き上げを可能とすると共にオルゴール３の演奏時には、電動モータ２を停止させると同時に電磁石６１への通電を停止させることで電磁石６１と磁性部材６２との吸着を解除することによって電動モータ２の回転軸２ａとオルゴール３の巻上げ軸３ａとの接続を遮断して電動モータ２を停止させた状態で巻上げ軸３ａの巻戻し方向の回転を許容してオルゴール３の演奏を可能に構成したものである。
【００６９】電磁クラッチ５９の筐体５９ａは、電動モータ２の回転軸２ａと共に回転しないように、取付け腕５９ｂが電動モータ２の取付け板３３に固着された回転止め３３ｂに係合して常時静止状態に保たれるようになっており、電動モータ２の回転軸２ａには内蔵された電磁コイル（図示せず）が固定されていて、該電磁コイル自体が回転軸２ａと共に回転するようになっている。
即ち、外部の電源６０に接続された配線６３に接続された一対のブラシ（図示せず）が絶縁状態で夫々摺動して電磁コイルに電気を伝えるように、筐体５９ａに内蔵され電動モータ２の回転軸２ａと一体の回転軸（図示せず）に固定されたスリップリング（図示せず）があり、このスリップリングに電磁コイルが固定され、該電磁コイル及びこれと一体の電磁石６１が回転可能に構成されている。
【００７０】またこの第２実施例のクラッチ装置４においては、電磁クラッチ５９により電動モータ２の回転軸２ａとオルゴール３の巻上げ軸３ａとは、オルゴール３の演奏中に完全にその機械的連接関係が切れてしまうので、電動モータ２の回転軸２ａの回転数を検出しても意味がなく、オルゴール３の巻上げ軸３ａの回転数を検出してその検出結果を制御装置６の入力する必要がある。
このため、オルゴール３の巻上げ軸３ａにネオジウム磁石等の磁石４１が埋設固着され、これに対向する位置に回転数検出センサ９（一例としてＣＭＯＳ磁気センサが用いられる。）が取り付けられており、これによってオルゴール３の巻上げ軸３ａ自体の電動モータ２から見て時計方向の回転数（例：オルゴール３の巻上げ時には時計方向に４回転）と、反時計方向の回転数（例：オルゴールのフル演奏完了時には反時計方向に４回転）が検出されて、この検出結果が入力ポートＩ／Ｐを介して中央情報処理装置５に入力されるように構成されている。
【００７１】次に、図２６に示すオルゴールの自動巻上げ演奏装置１の制御装置６について説明する。制御装置６は、中央情報処理装置５と、その入力ポートＩ／Ｐ及び出力ポートＯ／Ｐと、ランダムアクセスメモリＲＡＭ及び読出し専用メモリＲＯＭからなる記憶装置６４とを備え、入力装置６５から入各種の入力信号を入力されて中央情報処理装置５がこれらの入力信号を処理し、制御装置６により各種の出力装置６６の出力を制御するように構成されている。
入力装置６５は、設定スイッチ２２、選曲スイッチ２０、停止スイッチ２１、回転数検出センサ９、曲先頭検出センサ１０及び電波時計装置１３からなり、出力装置６６は、４つの電動モータ２（２Ａ，２Ｂ，２Ｃ，２Ｄ）、４つのクラッチ装置４（４Ａ，４Ｂ，４Ｃ，４Ｄ）、４つのオルゴール３（３Ａ，３Ｂ，３Ｃ，３Ｄ）、４つの演奏停止用電動モータ１１（１１Ａ，１１Ｂ，１１Ｃ，１１Ｄ）及び４つの照明装置１２（１２Ａ，１２Ｂ，１２Ｃ，１２Ｄ）からなっており、入力装置６５からの入力信号が中央情報処理装置（ＣＰＵ）５により処理されて、これらの出力装置６６の全部又は一部が同時又は順次に制御装置６によって制御されるように構成されている。
記憶装置６４の読出し専用メモリＲＯＭには、各種の定まったデータ、例えばカレンダー、西暦や日本の元号、年月日の数値、日付の数値、曜日名、時刻の数値、休日の名称、オルゴールの曲名、各曲の演奏時間、職場、会社、官庁、学校、保育園、老人ホーム、自宅等の名称、オルゴールの番号、電動モータ２の番号、演奏停止用電動モータ１１の番号、クラッチ装置４の番号等が記憶され、必要に応じて中央情報処理装置により常時読出し可能となっている。
ランダムアクセスメモリＲＡＭには、入力装置６５から入力されたその都度の数値、例えば各オルゴール３の演奏状況、回転数検出センサ９から入力される各電動モータ２の時計方向、反時計方向の回転数の差引数値、電波時計装置１３の時刻数値、演奏停止用電動モータ１１の作動状況、曲先頭検出センサ１０からの各オルゴールの停止位置情報、選曲スイッチ２２の使用状況、設定スイッチ２０の使用状況等が数値化されて記憶され、必要に応じて中央情報処理装置により常時読出し可能となっている。
【００７２】次に、図２７に示す目覚まし時計を兼ねたオルゴールの自動巻上げ演奏装置１の制御装置６について説明する。
中央情報処理装置５と、その入力ポートＩ／Ｐ及び出力ポートＯ／Ｐと、ランダムアクセスメモリＲＡＭ及び読出し専用メモリーＲＯＭからなる記憶装置６４とを備えていること、入力装置６５から各種の入力信号を入力されて中央情報処理装置５がこれらの入力信号を処理して制御装置６により各種の出力装置６６の出力を制御する点及び入力装置６５の内容は図２６に示す制御装置６と同一である。
出力装置６６は、２つの電動モータ（２Ａ，２Ｂ）、２つのクラッチ装置４（４Ａ，４Ｂ）、２つのオルゴール３（３Ａ，３Ｂ）、２つの演奏停止用電動モータ１１（１１Ａ，１１Ｂ）及び１つの照明装置１２からなっており、入力装置６５からの入力信号が中央情報処理装置５により処理されて、これらの出力装置６６の全部又は一部が同時又は順次に制御装置６によって制御されるように構成されている。
ランダムアクセスメモリＲＡＭ及び読出し専用メモリＲＯＭの内容は、図２６のものと同一であるので説明を省略する。
【００７３】本発明は、上記のように構成されており、以下その作用について説明する。
図８から図１５により、まずオルゴールの自動巻上げ演奏装置１の機械式のクラッチ装置４の作用について説明すると、図１２において、オルゴールの自動巻上げ演奏装置１の組立完了時においては、このように回転スライドクラッチ部材３０が電動モータ２に最も近い位置にあり、ナット２６はねじ軸２５の突起部２５ａから最も離れた位置にあり、回
2019012248.tif 000003
５ｍｍ位となっている。
そしてこのままでは、クラッチ装置４は電動モータ２の回転軸２ａとオルゴール３の巻上げ軸３ａとの接続を遮断しているため、電動モータ２を矢印Ｂの如く右回転、即ち巻上げ方向回転させても回転スライドクラッチ部材３０は全く回転せず、オルゴール３の巻上げ軸３ａを巻き上げることはできない。
そこで、電動モータ２を時計方向に矢印Ｂの如く更に右回転させると、ねじ軸２５が同方向に回転し、該ねじ軸が左ねじであり、そのリードが１ｍｍであるためねじ軸２５の１回転につき１ｍｍずつナット２６は矢印Ｃの如く無回転でオルゴール３方向にスライドし、ねじ軸２５の突起部２５ａに次第に接近して行き、当接するまでこのクラッチ装置４の「断」状態が続く。
【００７４】次に、図１３に示すように、電動モータ２が回転を開始してから矢印Ｂの如く右に４回転すると、ナット２６はオルゴール３方向に４ｍｍスライドして、ねじ軸２５の突起部２５ａに当接する。このときの回転スライドクラッチ部材３０の側面３０ｂとオ
2019012248.tif 000004
そしてこの状態でねじ軸２５が更に右回転しようとすると、もはやナット２６はねじ軸２５に対して相対移動は不可能であり、ねじ軸２５の突起部２５ａに強く押圧され、これによってねじ軸２５とナット２６及び回転スライドクラッチ部材３０が一体化されることで、クラッチ装置４は、電動モータ２の回転軸２ａとオルゴール３の巻上げ軸３ａとを接続することとなり、クラッチ装置４は「接」状態となる。
そこで更に電動モータ２が右方向に回転すると、回転スライドクラッチ部材３０が同方向に回転して、係合部材２９が巻上げ軸３の腕部３ｃを巻上げ方向に回転させ、オルゴール３が巻き上げられることになる。そしてクラッチ装置４が「接」状態になってから電動モータ２が４回転するとオルゴール３は巻上げ完了となり、これまでに電動モータ２は総計８回転しており、最初の４回転に加えて、巻上げの４回転の、巻上げ方向の合計８回転が回転数検出センサ９により検出されて、この検出結果が図２６に示す如く入力ポートＩ／Ｐを介して中央情報処理装置５に入力され、制御装置６により制御されて電動モータ２が回転を停止し、オルゴール３の巻上げが完了する。
【００７５】この状態で、もしオルゴール３の演奏を開始しようとした場合には、電動モータ２は停止し、クラッチ装置４は「接」の状態にあり、オルゴール３が演奏をするにはどうしても巻上げ軸３ａが左方向の巻戻し回転をしなければならず、この結果ナット２６とねじ軸２５は左ねじであるため、ナット２６は更にオルゴール３方向に移動しようとして強くねじ軸２５の突起部２５ａに押し付けられ、また電動モータ２はギヤードモータであるため、その減速機が逆に増速機の働きをすることと、電動モータ２自体が発電機として抵抗するため、電動モータ２が非常に大きなブレーキ作用を生じさせる結果、回転することは不可能であり、オルゴール３の演奏はできない。
【００７６】そこで制御装置６は、図１４に示すように、回転数検出センサ９からのオルゴール３の巻上げ完了の回転数検出結果の信号を得て、クラッチ装置４を「断」の状態にするため、電動モータ２に巻戻し回転方向、即ち反時計方向に４回転すべき指令を出し、これによって電動モータ２は矢印Ｄの如く左回転を開始する。
すると、ナット２６は矢印Ｅの如く電動モータ２方向への無回転のスライドを開始し、ねじ軸２５の突起部３ｃから離脱し、回転スライドクラッチ部材３０も同様にスライドして電動モータ２が反時計方向に４回転したところでナット２６及び回転スライドクラッチ
2019012248.tif 000005
そしてこの電動モータ２の反時計方向の４回転の終了が回転数検出センサ９により検出されて、この検出結果が入力ポートＩ／Ｐを介して中央情報処理装置５に入力され、制御装置６は電動モータ２を停止させる。
これによって、クラッチ装置４は「断」状態となり、オルゴール３の巻上げ軸３ａの巻戻し回転が許容される状態となり、制御装置６によるオルゴール３の演奏開始の指令が出るまでこの状態が維持される。
【００７７】図１５に示すように、制御装置６からオルゴール３の演奏開始の指令、即ち図１７に示す演奏停止用電動モータ１１を図１６において時計方向に回転させてストッパ４６の腕４６ｂを羽車４２の羽４２ａから退避させることで羽車４２の回転が許容され、オルゴール３は演奏可能となり、演奏が開始される。
オルゴール３の演奏が開始されると、巻上げ軸３ａは矢印Ｄの如く反時計方向に巻戻し回転をするが、このときクラッチ装置４は「断」状態にあるため、この巻戻し回転が許容され、この結果巻上げ軸３ａの腕部３ｃが回転スライドクラッチ部材３０の係合部材３ｃを介して回転スライドクラッチ部材３０を矢印Ｄの如く左回転させる。
オルゴール３の演奏開始の際には、ナット２６はねじ軸２５の突起部２５ａから４ｍｍ電動モータ２方向に離れているため、ナット２６は突起部２５ａに向かって４ｍｍの範囲でスライド可能の状態にあり、この範囲でオルゴール３は演奏を続行することができ、回転スライドクラッチ部材３０は矢印Ｄの如くゆっくりと左回転しながら矢印Ｃの如くオルゴール方向に移動する。
そしてオルゴール３が例えば同一の曲を４回演奏して、ドラム３ｅの磁石３ｆが曲先頭検出センサ１０に対向する位置に達したことで、曲先頭検出センサ１０からオルゴール３の演奏終了の検出信号が出され、この信号が入力ポートＩ／Ｐを介して中央情報処理装置５に入力されると、制御装置６が演奏停止用電動モータ１１を図１６において１００ｍｓの間反時計方向に３０度回転させ、ストッパ４６の腕４６ｂにより羽車４２ａを停止させ、オルゴール３が演奏を停止する。なお、ストッパ４６の腕４６ｂは基台３ｄの停止部材４７に当接して停止し、過剰な回転が防止される。
【００７８】このとき、クラッチ装置４は、すでにナット２６がねじ軸２５の突起部２５ａに当接しているので、再び「接」の状態、即ち図１３に示すオルゴール３の巻上げ可能の状態になっており、制御装置６から電動モータ２への巻上げ開始の指令が出ると、直ちに電動モータ２、ねじ軸２５、ナット２６、回転スライドクラッチ部材３０、係合部材２９、腕部３ｃ及び巻上げ軸３ａが矢印Ｂの如く巻上げ方向、即ち時計方向に回転してオルゴール３が巻き上げられることになる。
そして以上の繰り返し、即ちクラッチ装置４の断接によりオルゴールの自動巻上げ演奏装置１によりオルゴール３が自動的に何回でも巻き上げられ、自動演奏を続けることができる。
【００７９】なお、もし図１５に示すようなオルゴール３の演奏途中で演奏を停止させて、オルゴール３のぜんまい３ｂが半分程度巻き戻された状態で演奏が停止した場合、そのままで再度演奏を開始させることもできるが、そうするとそれからの演奏可能時間はフル演奏の半分位となってしまう。
このような状態を嫌う場合には、図１５の状態で電動モータ２を時計方向に回転させてナット２６をねじ軸２５の突起部２５ａに当接するまで回転させることで、クラッチ装置４が「接」の状態になり、これによって更に電動モータ２の時計方向の回転を続行させることでオルゴール３のぜんまい３ｂをフル演奏可能なまで巻き増しすることもできる。
【００８０】次に、図２０から図２１に示す機械式のクラッチ装置の別実施例に係るクラッチ装置４の作用について説明する。
回転スライドクラッチ部材３０が回転すると、その係合溝３０ｂに係合しているオルゴール３の巻上げ軸３ａの腕部３ｃが回転して巻上げ軸３ａが同方向に回転し、回転スライドクラッチ部材３０の時計方向回転でオルゴール３が巻き上げられ、オルゴール３の巻戻し回転により回転スライドクラッチ部材３０が反時計方向に回転しながらオルゴール３方向にスライドし、またねじ軸２５の反時計方向回転の際にはナット２６及び回転スライドクラッチ部材３０が無回転で電動モータ２方向にスライドし、このときオルゴール３のねじ軸３ａの腕部３ｃは切欠き溝３０ｂ内で相対的にスライドし、その係合は決して外れない。
以上の動作によって、この実施例のクラッチ装置４においても、電動モータ２の回転軸２ａとオルゴール３のねじ軸３ａとの断接を順調に行わせることができ、しかもこの実施例の場合には、回転スライドクラッチ部材３０の４本の係合部材２９を省略でき、またその組立作業も省略でき、更に機械的強度もより大きくすることができる。
【００８１】次に、図１６から図１９において、オルゴール３の演奏停止用電動モータ１１、オルゴール３の羽車４２のストッパ４６及び曲先頭検出センサ１０の作用について説明する。なお、演奏停止用電動モータ１１の回転方向は、該演奏停止用電動モータから見た回転方向として説明する。
オルゴールの自動巻上げ演奏装置１においてオルゴール３の演奏を停止させるのは、２つの場合であり、１つは演奏の途中であっても使用者の意思により、図１に示す停止スイッチ２１を押して強制的に停止させる場合であり、２つ目はプログラムされた自動演奏によって、自動的に曲の先頭で停止させる場合である。
このいずれの場合でも、オルゴール３の演奏を停止させるには、必ず演奏停止用電動モータ１１の電源を投入して該演奏停止用電動モータ１１を時計方向に例えば１００ｍｓの間、３０度回転させて電源を切って演奏停止用電動モータ１１を停止させ、その回転軸１１ａ、シリコンチューブ４８及び回転軸４６ａを介してストッパ４６及び腕４６ｂを同方向（図１６においては反時計方向）に３０度回転させて腕４６ｂを高速回転している羽車４２の羽４２ａの作動路に干渉させて羽車４２を停止させることによって行う。図１６及び図１９がこのオルゴール３の停止を行った状態を示している。
またオルゴール３のプログラムされた自動演奏の場合にオルゴール３を停止させる場合は、必ず曲の先頭から再演奏ができるように、図１６において、曲先頭検出センサ１０にドラム３ｅの磁石３ｆが対向したときに制御装置６により演奏停止用電動モータ１１の電源が瞬時に投入されて上記と同様に１００ｍｓの間、３０度だけ該演奏停止用電動モータを時計方向に回転させたら電源を切って停止させ、ストッパ４６が羽車４２を停止させてオルゴール３のドラム３ｅが曲の先頭で停止する。
オルゴール３の演奏を開始する場合には、図１８に示すように、演奏停止用電動モータ１１の電源を投入して演奏停止用電動モータ１１を１００ｍｓの間、３０度だけ反時計方向に回転させて演奏停止用電動モータ１１の電源を切って停止させる。これによってストッパ４６が図１８に示すように矢印Ｇの如く図中時計方向に３０度回転して羽車４２を開放し、該羽車は矢印Ａの如く高速で回転を開始し、ドラム３ｅが回転してオルゴール３の演奏が開始される。
この場合、オルゴール３が曲の途中で演奏を開始する場合と、曲の先頭で演奏を開始する場合とがあるが、これは上記のように、手動演奏と自動演奏の違いであるから、使用者はどちらの場合も自由に選択することができる。
【００８２】次に、図２２から図２５に示す第２実施例のクラッチ装置４、即ち電磁クラッチ５９の作用について説明する。選曲スイッチ２０が押されないで、電動モータ２及び電磁クラッチ５９への通電が停止されている場合は、図２３に示すように、電動モータ２は停止し、電磁クラッチ５９はその電磁コイルに通電されていないので、電磁石６１は磁力を持たず、磁性部材６２は自由の状態にあり、これによってクラッチ装置４は電動モータ２の回転軸２ａとオルゴール３の巻上げ軸３ａとの間を「断」の状態とするため、オルゴール３はその巻上げ軸３ａの巻戻し回転が許容されるので、演奏可能の状態にある。
しかし、図２３のようにオルゴール３のぜんまい３ｂがオルゴール３のフル演奏の結果、全部巻き戻された状態では、電動モータ２による巻上げが行われない限りオルゴール３が演奏することはない。
そこで、図２４に示すように、選曲スイッチ２０が押されて電動モータ２とクラッチ装置４の電磁クラッチ５９に通電されると、電動モータ２が矢印Ｂの如く時計方向に回転を開始し、このとき同時に電磁石５９は磁力を持つため、矢印Ｅの如く磁性部材を吸着し、これによってクラッチ装置４は、電動モータ２の回転軸２ａとオルゴール３の巻上げ軸３とを「接」の状態とし、回転軸２ａと巻上げ軸３ａが一体となって回転し、矢印Ｂの如く巻上げ軸３ａが巻上げ方向に回転し、オルゴール３のぜんまい３ｂは巻き上げられる。
この巻上げ軸３ａの回転数は、回転数検出センサ９によって検出されて、図２６のように、制御装置６の入力ポートＩ／Ｐを介して中央情報処理装置５に入力され、電動モータ２の回転数が４回転に達したときに、制御装置６が電動モータ２を停止させ、オルゴール３の巻上げが完了停止する。
これによって、図２５に示すように、再び電動モータ２もクラッチ装置４の電磁クラッチ５９も通電が停止となるので、電磁石６１は磁力を失い、クラッチ装置４は、電動モータ２の回転軸２ａとオルゴール３の巻上げ軸３ａとの間を「断」の状態とするため、オルゴール３はその巻戻し回転を許容され、演奏可能な状態となっている。
そこで制御装置６が演奏停止用電動モータ１１を時計方向に回転させてストッパ４６による羽車４２の拘束を解除することにより、オルゴール３は演奏を開始し、自動演奏の場合にはフル演奏してドラム３ｅの磁石３ｆが曲先頭検出センサ１０に対向するまで演奏し、再び演奏停止用電動モータ１１に通電されて、ストッパ４６により羽車４２を拘束して羽車４２を停止させることでオルゴール３の演奏が停止する。
このようにして、クラッチ装置４は、電磁クラッチ５９によっても機械式のクラッチ装置４と同様に電動モータ２の回転軸２ａとオルゴール３の巻上げ軸３ａとの間を断接させることができ、オルゴール３の自動巻上げと自動演奏が可能となるものである。
【００８３】次に、図１から図４に示すオルゴールの自動巻上げ演奏装置１の作用を、図２６に示す制御装置６による制御と共に説明する。
オルゴールの自動巻上げ演奏装置１の選曲スイッチ２０を使用するのは、使用者の好みに応じて自由に好きな曲を好きなときに手動又は自動で聴く場合であり、図１において、選曲スイッチ２０Ａを押すと、図２６に示す入力装置６５の選曲スイッチ２０から信号が入力ポートＩ／Ｏを介して中央情報処理装置５に入り、該中央情報処理装置５がこの信号を処理して、出力ポートＯ／Ｐから出力信号出して電動モータ２Ａを時計方向に４回転させてオルゴール３Ａを巻き上げ、巻上げが完了したら電動モータ２Ａを反時計方向に４回転させて回転スライドクラッチ部材３０を電動モータ２方向にスライドさせてクラッチ装置４により電動モータ２の回転軸２ａとオルゴール３Ａの巻上げ軸３ａとの間を「断」状態とし、オルゴール３Ａの巻戻し回転を許容することにより、オルゴール３Ａが演奏可能の状態にする。
【００８４】そしてこれと同時に、制御装置６により演奏停止用電動モータ１１に１００ｍｓの間、演奏停止用電動モータ１１が３０度回転するまで通電した後通電を停止させて演奏停止用電動モータ１１を停止させ、ストッパ４６によるオルゴール３Ａの羽車４２の拘束を解除してオルゴール３Ａの演奏を開始させる。
【００８５】一方、中央情報処理装置５は出力ポートＯ／Ｐから照明装置１２を点灯させる出力信号を出し、オルゴール３Ａのみを照明する照明装置１２Ａを点灯させ、使用者にオルゴール３Ａが演奏中であることがはっきりと分かるように、図１の左上の丸穴８ｂのみが明るく点灯して、オルゴール３Ａが演奏中であることを知らせる。
これによって、使用者が停止スイッチ２１を押さない限り、オルゴール３は自動巻上げによる同一オルゴール３Ａの同一曲を繰り返し自動演奏し続け、照明装置１２Ａは点灯を続ける。
【００８６】オルゴール３Ａの演奏を停止させるには、使用者は停止スイッチ２１を押すだけでよく、停止スイッチ２１が押されたことでその信号が制御装置６の入力ポートＩ／Ｐに入力され、この信号が中央情報処理装置５により処理されて出力ポートＯ／Ｐから必要な出力信号を出し、演奏停止用電動モータ１１Ａに１００ｍｓの間、その回転軸１１ａが３０度時計方向に回転するまで通電して通電を停止させ、ストッパ４６によりオルゴール３Ａの羽車４２を停止させてオルゴール３Ａを停止させる。この場合、手動によるオルゴール３Ａの停止であるため、曲先頭検出センサ１０は働かず、オルゴール３Ａのドラム３ｅは任意の位置で停止することになる。
【００８７】次に、オルゴール３をプログラムされた自動巻上げ演奏を行わせる場合について説明する。例えばオルゴールの自動巻上げ演奏装置１を職場や保育園、学校等のチャイムとして使用する場合には、設定スイッチ２２を使用する。なお、制御装置６との関連説明は上記と同様であるため省略する。
設定スイッチ２２の押しボタン２４Ａ又は２４Ｂを押して「毎日」という項目を選択したら押しボタン２４Ｅを押して項目「毎日」を決定し、次いで押しボタン２４Ａ又は２４Ｂを押して「オルゴールの番号」という項目を選択したら押しボタン２４Ｅを押して項目「オルゴールの番号」を決定し、次いで押しボタン２４Ｃ又は２４Ｄを押してオルゴール３の番号を「３Ａ」のように液晶表示板２３に表示させて選択し、押しボタン２４Ｅを押してオルゴールの番号「３Ａ」を決定し、次いで押しボタン２４Ａ又は２４Ｂを押して「演奏時刻」という項目を選択して押しボタン２４Ｅを押して項目「演奏時刻」を決定し、押しボタン２４Ｃ又は２４Ｄを押して「９時００分００秒」の数値を選択して液晶表示板２３に表示させ、押しボタン２４Ｅを押して演奏時刻「９時００分００秒」を決定し、以下同様にしてオルゴール３Ｂの演奏時刻は１２時００分００秒に、オルゴール３Ｃの演奏時刻１５時００分００秒に、オルゴール３Ｄの演奏時刻は１７時００分００秒に夫々決定すれば、オルゴールの自動演奏装置１は毎日９時にオルゴール３Ａが、１２時にオルゴール３Ｂが、１５時にオルゴール３Ｃがそして１７時にオルゴール３Ｄがプログラムされた自動演奏をすることになり、また各オルゴールの演奏ごとにそのオルゴール３の照明装置１２が点灯して、演奏中のオルゴール３が外部から視認できる。
【００８８】次に、図５から図７に示す目覚まし時計を兼ねたオルゴールの自動巻上げ演奏装置１の作用について説明する。
オルゴール３をプログラムされた自動巻上げ演奏させる場合には、例えばオルゴールの自動巻上げ演奏装置１を日常生活において、目覚まし時計として使用する場合には、まず設定スイッチ２２の押しボタン２４Ａ又は２４Ｂを押して「オルゴールの番号」という項目を選択して押しボタン２４Ｅを押して項目「オルゴールの番号」を決定し、次いで押しボタン２４Ｃ又は２４Ｄを押してオルゴール３の番号を液晶表示板２３に表示させて「３Ａ」を選択して押しボタン２４Ｅによりオルゴールの番号「３Ａ」を決定し、次いで設定スイッチ２２の押しボタン２４Ａ又は２４Ｂを押して「年月日」という項目を選択したら押しボタン２４Ｅを押して項目「年月日」を決定し、押しボタン２４Ｃ又は２４Ｄを押して年月日の数値を液晶表示板２３に表示させて目標の年月日を選択し、押しボタン２４Ｅを押してその年月日を決定し、次いで押しボタン２４Ａ又は２４Ｂを押して「就寝時刻」という項目を選択したら押しボタン２４Ｅを押して項目「就寝時刻」を決定し、同様に押しボタン２４Ｃ又は２４Ｄを押して就寝時刻の数値を液晶表示板２３に表示させて目標の就寝時刻を選択し、押しボタン２４Ｅを押してその就寝時刻を決定し、次いで同様な手順で起床用のオルゴール３Ｂ、年月日及び起床時刻を夫々決定すれば、何年何月何日何時何分何秒に就寝用のオルゴール３Ａと起床用のオルゴール３Ｂが夫々自動演奏されると共に、就寝時には照明装置１２が暫時暗くなるように点灯してやがて消灯し、起床時には照明装置１２が暫時明るくなるように点灯するようにして目覚まし時計として使用できる。
【符号の説明】
【００８９】  １    オルゴールの自動巻上げ演奏装置
２    電動モータ
２ａ  回転軸
２Ａ  電動モータ
２Ｂ  電動モータ
２Ｄ  電動モータ
２Ｅ  電動モータ
３    オルゴール
３ａ  巻上げ軸
３ｂ  ぜんまい
３ｃ  腕部
３ｄ  基台
３ｅ  ドラム
３ｆ  磁石
３Ａ  オルゴール
３Ｂ  オルゴール
３Ｃ  オルゴール
３Ｄ  オルゴール
４    クラッチ装置
５    中央情報処理装置
６    制御装置
８    共鳴箱
８ａ  前面
８ｂ  丸穴
８ｃ  側面
８ｄ  スリット
８ｅ  上面
８ｆ  角穴
９    回転数検出センサ
１０    曲先頭検出センサ
１１    演奏停止用電動モータ
１２    照明装置
１２Ａ  照明装置
１２Ｂ  照明装置
１２Ｃ  照明装置
１２Ｄ  照明装置
１３    電波時計装置
１４    時計の一例たるアナログ時計
１５    透明板
１６    置き時計
１８    電源コード
１９    Ａ／Ｃアダプタ
２０    選曲スイッチ
２０Ａ  選曲スイッチ
２０Ｂ  選曲スイッチ
２０Ｃ  選曲スイッチ
２０Ｄ  選曲スイッチ
２１    停止スイッチ
２２    設定スイッチ
２３    液晶表示板
２４    押しボタン
２４Ａ  押しボタン
２４Ｂ  押しボタン
２４Ｃ  押しボタン
２４Ｄ  押しボタン
２４Ｅ  押しボタン
２５    ねじ軸
２５ａ  突起部
２５ｂ  一端
２５ｃ  他の一端
２５ｄ  つば部
２５ｅ  ねじ山
２６    ナット
２８    空間
２９    係合部材
２９ａ  ねじ部
２９ｂ  丸棒部
３０    回転スライドクラッチ部材
３０ａ  めねじ穴
３０ｂ  切欠き溝
３０ｃ  側面
３１    取付け板
３２    減速機
３３    取付け板
３３ａ  取付け穴
３３ｂ  回転止め
３４    支柱
３４ａ  めねじ穴
３５    ねじ
３６    接ぎ手
３８    止めねじ
３９    止めねじ
４０    止めねじ
４１    磁石
４２    羽車
４３    取付け板
４４    支柱
４５    ねじ
４６    ストッパ
４６ａ  回転軸
４６ｂ  腕
４７    停止部材
４８    シリコンチューブ
４９    増速機
５０    平歯車
５１    中間軸
５２    平歯車
５３    平歯車
５４    最終軸
５５    平歯車
５６    ウォームホィール
５８    ウォーム
５９    電磁クラッチ
５９ａ  筐体
５９ｂ  取付け腕
６０    電源
６１    電磁石
６２    磁性部材
６３    配線
６４    記憶装置
６５    入力装置
６６    出力装置
矢印    Ａ
矢印    Ｂ
矢印    Ｃ
矢印    Ｄ
矢印    Ｅ
矢印    Ｆ
矢印    Ｇ
【図１】
2019012248.tif 000006
【図２】
2019012248.tif 000007
【図３】
2019012248.tif 000008
【図４】
2019012248.tif 000009
【図５】
2019012248.tif 000010
【図６】
2019012248.tif 000011
【図７】
2019012248.tif 000012
【図８】
2019012248.tif 000013
【図９】
2019012248.tif 000014
【図１０】
2019012248.tif 000015
【図１１】
2019012248.tif 000016
【図１２】
2019012248.tif 000017
【図１３】
2019012248.tif 000018
【図１４】
2019012248.tif 000019
【図１５】
2019012248.tif 000020
【図１６】
2019012248.tif 000021
【図１７】
2019012248.tif 000022
【図１８】
2019012248.tif 000023
【図１９】
2019012248.tif 000024
【図２０】
2019012248.tif 000025
【図２１】
2019012248.tif 000026
【図２２】
2019012248.tif 000027
【図２３】
2019012248.tif 000028
【図２４】
2019012248.tif 000029
【図２５】
2019012248.tif 000030
【図２６】
2019012248.tif 000031
【図２７】
2019012248.tif 000032